(57)【要約】【課題】  充電ステーションには、温度の異なる複数のバッテリが格納され得る。また、バッテリによっては、高温状態又は低温状態で充電すると、劣化が促進され得る。【解決手段】  複数の蓄電池のそれぞれの劣化状態を示す劣化情報を取得する劣化情報取得部と、前記複数の蓄電池のそれぞれについて、前記劣化情報取得部が取得した劣化情報に基づいて、充電開始時又は充電中に許容される温度条件を決定する温度条件決定部と、前記複数の蓄電池のそれぞれの温度を示す温度情報を取得する温度情報取得部と、前記複数の蓄電池のうち、前記温度情報取得部が取得した温度情報により示される温度が、前記温度条件決定部が決定した前記温度条件を満足する蓄電池の中から、充電対象となる蓄電池を抽出する充電対象抽出部とを備える。【選択図】図１
2018160364.tif 000002
【特許請求の範囲】
【請求項１】
複数の蓄電池のそれぞれの劣化状態を示す劣化情報を取得する劣化情報取得部と、
前記複数の蓄電池のそれぞれについて、前記劣化情報取得部が取得した劣化情報に基づいて、充電開始時又は充電中に許容される温度条件を決定する温度条件決定部と、
前記複数の蓄電池のそれぞれの温度を示す温度情報を取得する温度情報取得部と、
前記複数の蓄電池のうち、前記温度情報取得部が取得した温度情報により示される温度が、前記温度条件決定部が決定した前記温度条件を満足する蓄電池の中から、充電対象となる蓄電池を抽出する充電対象抽出部と、
を備える、情報処理装置。
【請求項２】
蓄電池の需要に関する需要情報を取得する需要取得部と、
特定の時刻における前記複数の蓄電池のそれぞれの充電状態を示す情報を取得する充電状態取得部と、
をさらに備え、
前記充電対象抽出部は、前記複数の蓄電池が、前記需要取得部が取得した需要情報により示される需要を満たさない場合に、前記充電対象となる蓄電池を抽出する、
請求項１に記載の情報処理装置。
【請求項３】
前記需要情報は、時刻又は期間に関する情報と、当該時刻又は期間において必要とされる蓄電池の個数を示す情報とを含む、
請求項２に記載の情報処理装置。
【請求項４】
前記需要情報は、必要とされる蓄電池の個数を示す情報と、各蓄電池の充電状態に関する条件を示す情報とを含む、
請求項２又は請求項３に記載の情報処理装置。
【請求項５】
前記温度条件決定部は、劣化が進行している蓄電池ほど、（ｉ）許容される温度範囲が広くなる、（ｉｉ）許容される最高温度が高くなる、又は、（ｉｉ）許容される最低温度が低くなるように、前記温度条件を決定する、
請求項１から請求項４までの何れか一項に記載の情報処理装置。
【請求項６】
前記温度条件決定部は、劣化が進行している蓄電池ほど、（ｉ）許容される温度範囲が狭くなる、（ｉｉ）許容される最高温度が低くなる、又は、（ｉｉ）許容される最低温度が高くなるように、前記温度条件を決定する、
請求項１から請求項４までの何れか一項に記載の情報処理装置。
【請求項７】
前記複数の蓄電池のそれぞれは、各蓄電池に関する劣化情報を記憶するメモリを有し、
前記劣化情報取得部は、各蓄電池のメモリから、当該蓄電池の劣化情報を取得する、
請求項１から請求項６までの何れか一項に記載の情報処理装置。
【請求項８】
コンピュータを、請求項１から請求項７までの何れか一項に記載の情報処理装置として機能させるための、プログラム。
【請求項９】
複数の蓄電池のそれぞれの温度を示す温度情報を取得する温度情報取得段階と、
前記複数の蓄電池のそれぞれの劣化状態を示す劣化情報を取得する劣化情報取得段階と、
前記複数の蓄電池のそれぞれについて、前記劣化情報取得段階において取得された劣化情報に基づいて、充電開始時又は充電中に許容される温度条件を決定する温度条件決定段階と、
前記複数の蓄電池のうち、前記温度情報取得段階において取得された温度情報により示される温度が、前記温度条件決定段階において決定された前記温度条件を満足する蓄電池の中から、充電対象となる蓄電池を抽出する充電対象抽出段階と、
を有する、情報処理方法。
【発明の詳細な説明】
【技術分野】
【０００１】
本発明は、情報処理装置、プログラム及び情報処理方法に関する。
【背景技術】
【０００２】
電動バイク用の蓄電池を格納し、電動バイクのユーザに、充電が完了した蓄電池を提供する充電ステーションが知られている（例えば、特許文献１を参照されたい）。
［先行技術文献］
［特許文献］
［特許文献１］  特表２０１６−５２１３８９号公報
【発明の概要】
【発明が解決しようとする課題】
【０００３】
充電ステーションには、温度の異なる複数のバッテリが格納され得る。また、バッテリによっては、高温状態又は低温状態で充電すると、劣化が促進され得る。
【課題を解決するための手段】
【０００４】
本発明の第１の態様においては、情報処理装置が提供される。上記の情報処理装置は、例えば、複数の蓄電池のそれぞれの劣化状態を示す劣化情報を取得する劣化情報取得部を備える。上記の情報処理装置は、例えば、複数の蓄電池のそれぞれについて、劣化情報取得部が取得した劣化情報に基づいて、充電開始時又は充電中に許容される温度条件を決定する温度条件決定部を備える。上記の情報処理装置は、例えば、複数の蓄電池のそれぞれの温度を示す温度情報を取得する温度情報取得部を備える。上記の情報処理装置は、例えば、複数の蓄電池のうち、温度情報取得部が取得した温度情報により示される温度が、温度条件決定部が決定した温度条件を満足する蓄電池の中から、充電対象となる蓄電池を抽出する充電対象抽出部を備える。
【０００５】
上記の情報処理装置は、蓄電池の需要に関する需要情報を取得する需要取得部を備えてよい。上記の情報処理装置は、特定の時刻における複数の蓄電池のそれぞれの充電状態を示す情報を取得する充電状態取得部を備えてよい。上記の情報処理装置において、充電対象抽出部は、複数の蓄電池が、需要取得部が取得した需要情報により示される需要を満たさない場合に、充電対象となる蓄電池を抽出してよい。上記の情報処理装置において、需要情報は、時刻又は期間に関する情報と、当該時刻又は期間において必要とされる蓄電池の個数を示す情報とを含んでよい。上記の情報処理装置において、需要情報は、必要とされる蓄電池の個数を示す情報と、各蓄電池の充電状態に関する条件を示す情報とを含んでもよい。
【０００６】
上記の情報処理装置において、温度条件決定部は、劣化が進行している蓄電池ほど、（ｉ）許容される温度範囲が広くなる、（ｉｉ）許容される最高温度が高くなる、又は、（ｉｉ）許容される最低温度が低くなるように、温度条件を決定してよい。上記の情報処理装置において、温度条件決定部は、劣化が進行している蓄電池ほど、（ｉ）許容される温度範囲が狭くなる、（ｉｉ）許容される最高温度が低くなる、又は、（ｉｉ）許容される最低温度が高くなるように、温度条件を決定してもよい。上記の情報処理装置において、複数の蓄電池のそれぞれは、各蓄電池に関する劣化情報を記憶するメモリを有してよい。上記の情報処理装置において、劣化情報取得部は、各蓄電池のメモリから、当該蓄電池の劣化情報を取得してもよい。
【０００７】
本発明の第２の態様においては、プログラムが提供される。上記のプログラムを格納する非一時的コンピュータ可読媒体が提供されてもよい。上記のプログラムは、コンピュータを、上記の情報処理装置として機能させるためのプログラムであってよい。上記のプログラムは、コンピュータに、上記の情報処理装置における情報処理手順を実行させるためのプログラムであってよい。
【０００８】
本発明の第３の態様においては、情報処理方法が提供される。上記の情報処理方法は、例えば、複数の蓄電池のそれぞれの温度を示す温度情報を取得する温度情報取得段階を有する。上記の情報処理方法は、例えば、複数の蓄電池のそれぞれの劣化状態を示す劣化情報を取得する劣化情報取得段階を有する。上記の情報処理方法は、例えば、複数の蓄電池のそれぞれについて、劣化情報取得段階において取得された劣化情報に基づいて、充電開始時又は充電中に許容される温度条件を決定する温度条件決定段階を有する。上記の情報処理方法は、例えば、複数の蓄電池のうち、温度情報取得段階において取得された温度情報により示される温度が、温度条件決定段階において決定された温度条件を満足する蓄電池の中から、充電対象となる蓄電池を抽出する充電対象抽出段階を有する。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】情報処理装置１００のシステム構成の一例を概略的に示す。
【図２】バッテリ管理システム２００のシステム構成の一例を概略的に示す。
【図３】バッテリステーション２１０の内部構成の一例を概略的に示す。
【図４】充放電制御部３５４の内部構成の一例を概略的に示す。
【図５】管理サーバ２２０のシステム構成の一例を概略的に示す。
【図６】稼働率管理部５３０の内部構成の一例を概略的に示す。
【図７】要求処理部５６０の内部構成の一例を概略的に示す。
【図８】画面８００の一例を概略的に示す。
【図９】画面９００の一例を概略的に示す。
【図１０】画面１０００の一例を概略的に示す。
【図１１】データテーブル１１００の一例を概略的に示す。
【図１２】データテーブル１２００の一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１２】
［情報処理装置１００の概要］
図１は、情報処理装置１００のシステム構成の一例を概略的に示す。本実施形態において、情報処理装置１００は、複数の蓄電池の中から、充電操作の対象となる蓄電池を抽出する。本実施形態において、情報処理装置１００は、例えば、温度情報取得部１１０を備える。情報処理装置１００は、例えば、劣化情報取得部１２０を備える。情報処理装置１００は、例えば、温度条件決定部１３０を備える。情報処理装置１００は、例えば、充電対象抽出部１４０を備える。
【００１３】
本実施形態において、温度情報取得部１１０は、例えば、複数の蓄電池のそれぞれの温度を示す温度情報を取得する。温度情報取得部１１０は、複数の蓄電池のそれぞれの温度を測定する温度センサであってもよく、通信ネットワークを介して温度センサの測定結果を取得する通信インタフェース又はプロセッサであってもよい。温度情報取得部１１０が取得した温度情報は、例えば、充電対象抽出部１４０に送信される。
【００１４】
本実施形態において、劣化情報取得部１２０は、例えば、複数の蓄電池のそれぞれの劣化状態を示す劣化情報を取得する。劣化情報取得部１２０は、例えば、下記の手順に基づいて、劣化情報を取得する。例えば、劣化情報取得部１２０は、まず、予め定められた充電パターンに従って、判定対象となる蓄電池を充電して、当該蓄電池の充電曲線を取得する。また、劣化情報取得部１２０は、予め定められた放電パターンに従って、判定対象となる蓄電池を放電して、当該蓄電池の放電曲線を取得する。次に、劣化情報取得部１２０は、上記の充電曲線及び放電曲線を解析して、判定対象となる蓄電池の劣化状態を判定する。劣化情報取得部１２０は、上記の判定結果を示す劣化情報を生成する。情報を生成することは、情報を取得することの一例であってよい。
【００１５】
本実施形態において、温度条件決定部１３０は、例えば、複数の蓄電池のそれぞれについて、劣化情報取得部１２０が取得した劣化情報に基づいて、充電開始時又は充電中に許容される温度条件を決定する。温度条件決定部１３０は、蓄電池の充電状態（例えば、ＳＯＣの値又は範囲である。）ごとの温度条件を決定してもよい。温度条件としては、充電が許可される閾値、充電が禁止される閾値、充電が許可される温度範囲、充電が禁止される温度範囲などを例示することができる。
【００１６】
本実施形態において、充電対象抽出部１４０は、複数の蓄電池の中から、充電対象となる蓄電池を抽出する。充電対象抽出部１４０は、例えば、下記の手順に基づいて、充電対象となる蓄電池を抽出する。例えば、充電対象抽出部１４０は、まず、温度情報取得部１１０から、複数の蓄電池のそれぞれの温度を示す情報を取得する。また、充電対象抽出部１４０は、温度条件決定部１３０から、複数の蓄電池のそれぞれの温度条件を示す情報を取得する。次に、充電対象抽出部１４０は、例えば、複数の蓄電池のうち、温度情報取得部１１０が取得した温度情報により示される温度が、温度条件決定部１３０が決定した温度条件を満足する、１以上の蓄電池を抽出する。その後、充電対象抽出部１４０は、上記の温度条件を満足する１以上の蓄電池の中から、任意の判断基準に基づいて、充電対象となる蓄電池を抽出する。
【００１７】
例えば、複数の蓄電池を格納することのできる充電ステーションを利用して、ユーザに蓄電池を貸し出すサービスを提供する場合、ユーザから返却されたばかりの蓄電池は、その温度が比較的高い可能性がある。また、例えば、寒冷地において、充電ステーションに格納されている期間が長く、当該期間の間に充電操作及び放電操作の対象とならなかった蓄電池は、その温度が比較的低い可能性がある。これらの場合において、高温又は低温の蓄電池を充電すると、当該蓄電池の劣化が促進される可能性がある。また、蓄電池の劣化が進行するにつれて、蓄電池の劣化の促進を抑制しながら、当該蓄電池を充電することができる温度範囲も狭くなる。本実施形態によれば、適切なタイミングにおける蓄電池の劣化状態に応じて、当該蓄電池の充電が許容される温度条件が決定され、当該温度条件に基づいて、当該充電池の充電の可否が判断される。そのため、蓄電池の現状に応じた適切な条件で、当該蓄電池を充電することができる。その結果、蓄電池の劣化を抑制することができる。
【００１８】
［情報処理装置１００の各部の具体的な構成］
情報処理装置１００の各部は、ハードウェアにより実現されてもよく、ソフトウエアにより実現されてもよく、ハードウェア及びソフトウエアにより実現されてもよい。情報処理装置１００の各部は、その少なくとも一部が、単一のサーバによって実現されてもよく、複数のサーバによって実現されてもよい。情報処理装置１００の各部は、その少なくとも一部が、仮想サーバ上又はクラウドシステム上で実現されてもよい。情報処理装置１００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。バッテリ管理システム２００の各部は、ブロックチェーンなどの分散型台帳技術又は分散型ネットワークを利用して、情報を格納してもよい。
【００１９】
情報処理装置１００を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の一般的な構成の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機などの入力装置と、（ｉｉｉ）表示装置、音声出力装置、振動装置などの出力装置と、（ｉｖ）メモリ、ＨＤＤ、ＳＳＤなどの記憶装置（外部記憶装置を含む。）とを備えてよい。
【００２０】
上記の一般的な構成の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、情報処理装置１００又はその一部として機能させるためのプログラムであってよい。上記のソフトウエア又はプログラムは、コンピュータに、情報処理装置１００又はその一部における情報処理を実行させるためのプログラムであってよい。
【００２１】
［バッテリ管理システム２００の概要］
図２は、バッテリ管理システム２００のシステム構成の一例を概略的に示す。本実施形態においては、バッテリ管理システム２００が、１又は複数のモバイルバッテリ２２を、ユーザに貸し出す場合を例として、バッテリ管理システム２００の詳細について説明する。ユーザは、貸し出されたモバイルバッテリ２２を、例えば、電動バイク、電動自転車、小型コミュータ、電動カートなどの電源として利用する。
【００２２】
本実施形態において、バッテリ管理システム２００は、１又は複数のモバイルバッテリ２２を管理する。例えば、バッテリ管理システム２００は、１又は複数のモバイルバッテリ２２の貸出状態、運用状態（例えば、充電中、放電中及び待機中である。）、充電状態（例えば、現在のＳＯＣである。）、保管状態（例えば、温度などである。）、劣化状態などを管理する。なお、１又は複数のモバイルバッテリ２２の提供形態は、貸し出しに限定されるものではない。また、「１又は複数」を、「１以上」又は「少なくとも１つ」と記載する場合がある。
【００２３】
モバイルバッテリ２２は、移動体、作業機械又は電気機器の電源として利用されてよい。移動体及び作業機械のそれぞれは、電動機を動力源とする移動体及び作業機械であってよい。移動体としては、自動車、自動二輪車、動力ユニットを有する立ち乗り用の乗り物、船舶、飛行体などを例示することができる。自動車としては、ガソリン車、ディーゼル車、電気自動車、燃料電池自動車、ハイブリッド自動車、小型コミュータ、電動カートなどを例示することができる。自動二輪車としては、バイク、三輪バイク、電動自転車などを例示することができる。船舶としては、船、ホバークラフト、水上バイク、潜水艦、潜水艇、水中スクータなどを例示することができる。飛行体としては、飛行機、飛行船又は風船、気球、ヘリコプター、ドローンなどを例示することができる。作業機械としては、耕うん機、除雪機、芝刈機、刈払機、草刈機、高圧洗浄機、ブロワー、ランマー、ＢＩＰＳ（Ｂａｔｔｅｒｙ  Ｉｎｖｅｒｔｅｒ  Ｐｏｗｅｒ  Ｓｏｕｒｃｅ）などを例示することができる。
【００２４】
本実施形態において、バッテリ管理システム２００は、例えば、バッテリステーション２１０と、１又は複数のバッテリステーション２１２と、１又は複数のバッテリステーション２１４と、管理サーバ２２０とを備える。バッテリ管理システム２００は、ユーザ端末２３０を備えてもよい。バッテリ管理システム２００の各部は、通信ネットワーク１０を介して、互いに情報を送受してよい。
【００２５】
本実施形態において、通信ネットワーク１０は、有線通信の伝送路であってもよく、無線通信の伝送路であってもよく、無線通信の伝送路及び有線通信の伝送路の組み合わせであってもよい。通信ネットワーク１０は、無線パケット通信網、インターネット、Ｐ２Ｐネットワーク、専用回線、ＶＰＮ、電力線通信回線などを含んでもよい。通信ネットワーク１０は、（ｉ）携帯電話回線網などの移動体通信網を含んでもよく、（ｉｉ）無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線通信網を含んでもよい。
【００２６】
モバイルバッテリ２２は、蓄電池及び可搬型蓄電池の一例であってよい。バッテリ管理システム２００は、情報処理装置の一例であってよい。バッテリステーション２１０、バッテリステーション２１２及びバッテリステーション２１４は、情報処理装置の一例であってよい。バッテリステーション２１０、バッテリステーション２１２及びバッテリステーション２１４は、蓄電池格納装置の一例であってよい。管理サーバ２２０は、情報処理装置の一例であってよい。ユーザ端末２３０は、情報処理装置の一例であってよい。
【００２７】
［バッテリ管理システム２００の各部の概要］
本実施形態において、バッテリステーション２１０は、１以上のモバイルバッテリ２２を格納する。例えば、バッテリステーション２１０は、１以上のモバイルバッテリ２２をユーザに貸し出す。バッテリステーション２１０は、複数個のモバイルバッテリ２２を１組として、ユーザに貸し出してよい。バッテリステーション２１０は、ユーザが今まで利用していたモバイルバッテリ２２がバッテリステーション２１０に格納されたことに応じて、バッテリステーション２１０に格納されている新たなモバイルバッテリ２２を、当該ユーザに貸し出してよい。モバイルバッテリ２２の貸し出しは、モバイルバッテリ２２の提供方法の一例であってよい。
【００２８】
バッテリステーション２１０は、１以上のモバイルバッテリ２２を充電する。バッテリステーション２１０は、１以上のモバイルバッテリ２２を放電する。バッテリステーション２１０は、１以上のモバイルバッテリ２２のそれぞれの劣化状態を判定する。バッテリステーション２１０は、各モバイルバッテリの劣化状態に関する判定結果を、各モバイルバッテリのメモリに書き込んでよい。
【００２９】
本実施形態において、バッテリステーション２１０は、例えば、発電装置３４から電力を受電する。バッテリステーション２１０は、例えば、電力系統３６から電力を受電する。また、バッテリステーション２１０は、例えば、電力系統３６に電力を供給する。バッテリステーション２１０は、例えば、電気機器３８に電力を供給する。
【００３０】
１以上のバッテリステーション２１２のそれぞれは、バッテリ管理システム２００が管理する複数のバッテリステーションのうち、バッテリステーション２１０と関連のあるバッテリステーションであってよい。バッテリステーション２１４のそれぞれは、バッテリ管理システム２００が管理する複数のバッテリステーションのうち、バッテリステーション２１０及び１以上のバッテリステーション２１２以外のバッテリステーションであってよい。バッテリステーション２１２及び２１４は、バッテリステーション２１０と同様の構成を有してよい。そのため、バッテリステーション２１２及び２１４の詳細については説明を省略する。
【００３１】
バッテリステーション２１０との関連の有無は、例えば、バッテリステーション２１０との関連の程度が予め定められた条件を満足するか否かによって判断される。上記の条件は、バッテリステーション２１０との地理的関係に関する条件であってもよく、モバイルバッテリ２２の移動履歴に関する条件であってもよい。各モバイルバッテリの移動履歴は、当該モバイルバッテリが格納されたバッテリステーションの履歴であってよい。各モバイルバッテリの移動履歴は、（ｉ）当該モバイルバッテリが格納された１以上のバッテリステーションのそれぞれの識別情報（ステーションＩＤと称する場合がある。）であってもよく、（ｉｉ）当該モバイルバッテリが１以上のバッテリステーションのそれぞれに格納された時刻と、当該バッテリステーションのステーションＩＤとが対応付けられた情報であってもよく、（ｉｉｉ）当該モバイルバッテリが格納された１以上のバッテリステーションのステーションＩＤと、特定の期間において当該モバイルバッテリが当該バッテリステーションに格納された頻度とが対応付けられた情報であってもよい。
【００３２】
本実施形態において、管理サーバ２２０は、１以上のモバイルバッテリ２２（管理対象となるモバイルバッテリと称する場合がある。）を管理する。例えば、管理サーバ２２０は、管理対象となるモバイルバッテリの仕様、貸出状態、運用状態、充電状態（例えば、現在のＳＯＣである。）、保管状態（例えば、温度などである。）、劣化状態、エラー履歴、貸出履歴などを管理する。運用状態としては、充電中、放電中、待機中などを例示することができる。
【００３３】
本実施形態において、管理サーバ２２０は、バッテリステーション２１０を管理する。バッテリステーション２１０は、バッテリステーション２１０、１以上のバッテリステーション２１２、及び、１以上のバッテリステーション２１４のそれぞれ（管理対象となるバッテリステーションと称する場合がある）を管理してもよい。例えば、管理サーバ２２０は、管理対象となるバッテリステーションの位置、仕様、運転状態、運用状態、管理責任者（例えば、識別ＩＤ、氏名、名称、アドレス、電話番号などである。）、エラー履歴、貸出履歴などを管理する。
【００３４】
バッテリステーションの位置としては、当該バッテリステーションが配置されている位置の（ｉ）緯度及び経度、（ｉｉ）緯度、経度及び高度、（ｉｉｉ）住所などを例示することができる。バッテリステーションの仕様としては、当該バッテリステーションの充電能力、当該バッテリステーションが格納することのできるモバイルバッテリ２２の最大個数（最大格納個数ＮＭＡＸにと称する場合がある。）などを例示することができる。
【００３５】
運転状態としては、運転中、停止中、異常発生中などを例示することができる。運用状態としては、管理対象となるバッテリステーションにおける、（ｉ）モバイルバッテリ２２の貸出状況、（ｉｉ）稼働率、（ｉｉｉ）貸出対象となるモバイルバッテリ２２の優先順位などを例示することができる。貸出状況としては、（ｉ）貸出中のモバイルバッテリ２２の個数、（ｉｉ）格納中のモバイルバッテリ２２の個数、（ｉｉｉ）貸出可能なモバイルバッテリ２２の個数、（ｉｖ）最大格納個数に対する上記の（ｉ）〜（ｉｉｉ）の個数の割合などを例示することができる。稼働率は、例えば、最大格納個数ＮＭＡＸに対する、貸出可能なモバイルバッテリ２２の個数ＮＲＥＮＴの割合（ＮＲＥＮＴ／ＮＭＡＸ）として定められる。
【００３６】
本実施形態において、ユーザ端末２３０は、モバイルバッテリ２２又はバッテリ管理システム２００を利用するユーザの通信端末である。ユーザ端末２３０は、例えば、ユーザからの入力を受け付ける。ユーザ端末２３０は、ユーザからの入力に基づいて、管理サーバ２２０に各種の要求を送信してよい。
【００３７】
一実施形態において、ユーザ端末２３０は、管理サーバ２２０から、ユーザインタフェース画面（ＵＩ画面と称する場合がある。）を生成するための情報を受信する。ユーザ端末２３０は、ユーザ端末２３０が管理サーバ２２０から受信した情報に基づいて、ＵＩ画面を生成してよい。ユーザ端末２３０は、生成されたＵＩ画面をユーザに提示してよい。ＵＩ画面は、ユーザ端末２３０が出力する情報の一例であってよい。他の実施形態において、ユーザ端末２３０は、ユーザ端末２３０が管理サーバ２２０から受信した情報に基づいて、音声を出力してよい。
【００３８】
ユーザ端末２３０は、通信ネットワーク１０を介して、バッテリ管理システム２００の各部（例えば、管理サーバ２２０である。）と情報を送受することのできる機器であればよく、その詳細については特に限定されない。ユーザ端末２３０としては、パーソナルコンピュータ、携帯端末などを例示することができる。携帯端末としては、携帯電話、スマートフォン、ＰＤＡ、タブレット、ノートブック・コンピュータ又はラップトップ・コンピュータ、ウエアラブル・コンピュータなどを例示することができる。
【００３９】
本実施形態において、管理サーバ２２０が、１以上のモバイルバッテリ及び１以上のバッテリステーションを管理する場合について説明した。しかしながら、バッテリ管理システム２００は、本実施形態に限定されない。他の実施形態において、１以上のバッテリステーションの少なくとも１つが管理サーバ２２０の機能を有し、当該少なくとも１つのバッテリステーションが、１以上のモバイルバッテリ、及び、１以上のバッテリステーションの少なくとも一方を管理してよい。この場合、バッテリ管理システム２００は、管理サーバ２２０を備えなくてもよい。
【００４０】
［バッテリ管理システム２００の各部の具体的な構成］
バッテリ管理システム２００の各部は、ハードウェアにより実現されてもよく、ソフトウエアにより実現されてもよく、ハードウェア及びソフトウエアにより実現されてもよい。バッテリ管理システム２００の各部は、その少なくとも一部が、単一のサーバによって実現されてもよく、複数のサーバによって実現されてもよい。バッテリ管理システム２００の各部は、その少なくとも一部が、仮想サーバ上又はクラウドシステム上で実現されてもよい。バッテリ管理システム２００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。バッテリ管理システム２００の各部は、ブロックチェーンなどの分散型台帳技術又は分散型ネットワークを利用して、情報を格納してもよい。
【００４１】
バッテリ管理システム２００を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の一般的な構成の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機などの入力装置と、（ｉｉｉ）表示装置、音声出力装置、振動装置などの出力装置と、（ｉｖ）メモリ、ＨＤＤ、ＳＳＤなどの記憶装置（外部記憶装置を含む。）とを備えてよい。
【００４２】
上記の一般的な構成の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、バッテリ管理システム２００又はその一部として機能させるためのプログラムであってよい。上記のソフトウエア又はプログラムは、コンピュータに、バッテリ管理システム２００又はその一部における情報処理を実行させるためのプログラムであってよい。
【００４３】
上記のソフトウエア又はプログラムは、コンピュータに、１以上の蓄電池を充電するための充電装置が配置されている位置を示す配置情報を取得する配置情報取得段階を実行させるためのプログラムであってよい。上記のソフトウエア又はプログラムは、コンピュータに、ユーザの位置を示すユーザ位置情報を取得するユーザ位置取得段階を実行させるためのプログラムであってよい。上記のソフトウエア又はプログラムは、コンピュータに、（ｉ）配置情報取得段階において取得された配置情報及び（ｉｉ）ユーザ位置取得段階において取得されたユーザ位置情報に基づいて、１以上の蓄電池の少なくとも１つに関する（ｉ）特定の時刻における充電状態及び（ｉｉ）ユーザの充電装置への到着予定時刻における充電状態が対応付けられた情報を生成する状態情報生成段階を実行させるためのプログラムであってよい。
【００４４】
上記のソフトウエア又はプログラムは、コンピュータに、複数の蓄電池のそれぞれの温度を示す温度情報を取得する温度情報取得段階を実行させるためのプログラムであってよい。上記のソフトウエア又はプログラムは、コンピュータに、複数の蓄電池のそれぞれの劣化状態を示す劣化情報を取得する劣化情報取得段階を実行させるためのプログラムであってよい。上記のソフトウエア又はプログラムは、コンピュータに、複数の蓄電池のそれぞれについて、劣化情報取得段階において取得された劣化情報に基づいて、充電開始時又は充電中に許容される温度条件を決定する温度条件決定段階を実行させるためのプログラムであってよい。上記のソフトウエア又はプログラムは、コンピュータに、複数の蓄電池のうち、温度情報取得段階において取得された温度情報により示される温度が、温度条件決定段階において決定された温度条件を満足する蓄電池の中から、充電対象となる蓄電池を抽出する充電対象抽出段階を実行させるためのプログラムであってよい。
【００４５】
上記のソフトウエア又はプログラムは、コンピュータに、複数の蓄電池格納装置の少なくとも１つの異常又は停止を検出する異常検出段階を実行させるためのプログラムであってよい。上記のソフトウエア又はプログラムは、コンピュータに、異常検出段階において異常又は停止が検出された場合に、複数の蓄電池格納装置の中から、異常又は停止が検出された蓄電池格納装置と関連のある１以上の蓄電池格納装置を抽出する格納装置抽出段階を実行させるためのプログラムであってよい。上記のソフトウエア又はプログラムは、コンピュータに、格納装置抽出段階において抽出された１以上の蓄電池格納装置の少なくとも１つの稼働率を調整することを決定する調整段階を実行させるためのプログラムであってよい。
【００４６】
図３は、バッテリステーション２１０の内部構成の一例を概略的に示す。本実施形態において、バッテリステーション２１０は、例えば、電力量計３１２と、分電盤３１４と、制御回路３２０と、バッテリ格納部３３０と、コネクタ３３２と、センス部３４０と、制御部３５０とを備える。本実施形態において、制御部３５０は、例えば、通信制御部３５２と、充放電制御部３５４と、状態管理部３５６とを有する。制御部３５０の各部は、互いに情報を送受してよい。
【００４７】
センス部３４０は、温度情報取得部及び劣化情報取得部の一例であってよい。制御部３５０は、情報処理装置の一例であってよい。通信制御部３５２は、温度情報取得部、劣化情報取得部、稼働率取得部の一例であってよい。充放電制御部３５４は、情報処理装置の一例であってよい。状態管理部３５６は、異常検出部の一例であってよい。
【００４８】
本実施形態において、電力量計３１２は、バッテリステーション２１０が、発電装置３４及び電力系統３６の少なくとも一方（電力供給者と称する場合がある。）から受電した電力量を計測する。電力量計３１２は、電力供給者ごとに電力量を計測してよい。本実施形態において、電力量計３１２は、バッテリステーション２１０が、電力系統３６及び電気機器３８の少なくとも一方（電力需要者と称する場合がある。）に供給した電力量を計測する。電力量計３１２は、電力需要者ごとに電力量を計測してよい。
【００４９】
本実施形態において、分電盤３１４は電力を受電し、当該電力をバッテリステーション２１０の各部に分岐する。分電盤３１４は、１以上のコネクタ３３２のそれぞれに電気的に接続されてよい。分電盤３１４は、１以上の制御回路３２０のそれぞれに電気的に接続されてよい。分電盤３１４は、パワーコンディショナを有してよい。パワーコンディショナは、双方向ＡＣ／ＤＣ回路を有してよい。
【００５０】
本実施形態において、制御回路３２０は、モバイルバッテリ２２の充放電を制御する。例えば、制御回路３２０は、充放電制御部３５４から、充放電を制御するための情報又は信号を受信する。制御回路３２０は、充放電制御部３５４からの情報又は信号に基づいて、モバイルバッテリ２２の充放電を制御してよい。
【００５１】
制御回路３２０は、１以上の片方向ＤＣ／ＤＣ回路を備えてよい。１以上の片方向ＤＣ／ＤＣ回路のそれぞれは、１以上のコネクタ３３２と電気的に接続されてよい。制御回路３２０は、１以上の双方向ＤＣ／ＤＣ回路を備えてよい。１以上の双方向ＤＣ／ＤＣ回路のそれぞれは、１以上のコネクタ３３２と電気的に接続されてよい。制御回路３２０は、バッテリステーション２１０の最大格納個数と同数の双方向ＤＣ／ＤＣ回路を備えてよい。制御回路３２０は、バッテリステーション２１０の最大格納個数より少ない数の双方向ＤＣ／ＤＣ回路を備えてよい。
【００５２】
本実施形態において、バッテリ格納部３３０は、少なくとも１つのモバイルバッテリ２２を格納する。バッテリステーション２１０は、１以上のバッテリ格納部３３０を備えてもよい。１以上のバッテリ格納部３３０のそれぞれは、単一のモバイルバッテリ２２を格納してもよく、複数のモバイルバッテリ２２を格納してもよい。
【００５３】
本実施形態において、コネクタ３３２は、１以上のモバイルバッテリ２２のそれぞれと電気的に接続される。バッテリステーション２１０は、１以上のコネクタ３３２を備えてもよい。１以上のコネクタ３３２のそれぞれは、単一のモバイルバッテリ２２と電気的に接続されてもよく、複数のモバイルバッテリ２２と電気的に接続されてもよい。コネクタ３３２及びモバイルバッテリ２２の接続方式は、有線方式であってもよく、無線方式であってもよい。コネクタ３３２は、例えば、モバイルバッテリ２２及び制御回路３２０の間で、電力を伝送する。コネクタ３３２は、モバイルバッテリ２２及び通信制御部３５２の間で、通信信号を伝送してもよい。コネクタ３３２は、例えば、バッテリ格納部３３０の内部に配される。
【００５４】
本実施形態において、センス部３４０は、モバイルバッテリ２２及びバッテリステーション２１０の少なくとも一方に関する各種の物理量を計測する。これにより、センス部３４０は、１以上の２２の少なくとも１つに関する情報を取得してもよく、１以上のモバイルバッテリ２２のそれぞれに関する情報を取得してもよい。センス部３４０は、取得された情報を制御部３５０に送信してよい。センス部３４０は、１以上の種類のセンサを有してよい。例えば、センス部３４０は、１以上のモバイルバッテリ２２の少なくとも１つの温度を測定する１以上の温度計を有する。温度計の測定方式は、接触式であってもよく、非接触式であってもよい。センス部３４０は、１以上のモバイルバッテリ２２の少なくとも１つの過電圧及び過電流の少なくとも一方を検出する過電流・過電圧検出器であってもよい。
【００５５】
本実施形態において、制御部３５０は、バッテリステーション２１０の動作を制御する。制御部３５０は、バッテリステーション２１０における各種の情報処理方法を実行する。制御部３５０は、管理サーバ２２０及びユーザ端末２３０の少なくとも一方から、情報又は要求を受信してよい。制御部３５０は、管理サーバ２２０及びユーザ端末２３０の少なくとも一方に対して、情報又は要求を送信してよい。制御部３５０は、モバイルバッテリ２２のメモリに記録された情報を読み込んでよい。制御部３５０は、モバイルバッテリ２２のメモリに情報を書き込んでよい。
【００５６】
モバイルバッテリ２２のメモリには、例えば、ユーザの識別情報（ユーザＩＤと称する場合がある。）、モバイルバッテリ２２の識別情報（バッテリＩＤと称する場合がある。）、ユーザ又はモバイルバッテリ２２の移動履歴又は移動距離を示す情報、モバイルバッテリ２２の劣化状態を示す情報、モバイルバッテリ２２の充電に関する制約（充電条件と称する場合がある。）を示す情報、モバイルバッテリ２２の放電に関する制約（放電条件と称する場合がある。）を示す情報などが格納される。ユーザの識別情報としては、（ｉ）バッテリ管理システム２００の管理者が各ユーザに割り当てたＩＤ、（ｉｉ）ユーザの氏名、名称、通称又はニックネーム、（ｉｉｉ）ユーザのアドレス、電話番号、各種サービスのアカウント（例えば、ＳＮＳのアカウントである。）、（ｉｖ）モバイルバッテリ２２を利用する機器（例えば、電動バイク又は電動自転車である。）のＩＤなどを例示することができる。
【００５７】
本実施形態において、通信制御部３５２は、通信を制御する。一実施形態において、通信制御部３５２は、制御部３５０と、バッテリステーション２１０の各部との間の通信を制御する。他の実施形態において、通信制御部３５２は、制御部３５０と、バッテリステーション２１０の外部の機器との間の通信を制御する。例えば、通信制御部３５２は、制御部３５０と、管理サーバ２２０及びユーザ端末２３０の少なくとも一方との間の通信を制御する。例えば、通信制御部３５２は、制御部３５０と、モバイルバッテリ２２との間の通信を制御する。通信制御部３５２は、通信インタフェースであってもよい。通信制御部３５２は、１以上の種類の通信方式に対応してよい。
【００５８】
本実施形態において、充放電制御部３５４は、１以上のモバイルバッテリ２２の充放電を制御する。充放電制御部３５４は、例えば、制御回路３２０を制御することで、モバイルバッテリ２２の充放電を制御する。充放電制御部３５４は、例えば、１以上のモバイルバッテリ２２のそれぞれの充電又は放電を開始するタイミング、当該充電又は放電を終了するタイミング、充電速度又は放電速度などを制御する。充放電制御部３５４は、充放電のスケジュールを作成してよい。例えば、充放電制御部３５４は、バッテリステーション２１０に格納されている１以上のモバイルバッテリ２２のうち、どのモバイルバッテリ２２を充電するかを決定する。充放電制御部３５４は、バッテリステーション２１０に格納されている１以上のモバイルバッテリ２２のうち、どのモバイルバッテリ２２を、いつまでにどの程度まで充電するかを決定してもよい。
【００５９】
本実施形態において、状態管理部３５６は、バッテリステーション２１０の状態を管理する。例えば、状態管理部３５６は、バッテリステーション２１０の運転状態及び運用状態の少なくとも一方を管理する。状態管理部３５６は、バッテリステーション２１０の異常又は停止を検出してよい。状態管理部３５６は、例えば、バッテリステーション２１０の故障又はメンテナンス、バッテリステーション２１０の周囲のエリアの停電、バッテリステーション２１０の周辺の道路交通状況などにより、充電ステーションの正常な利用が妨げられている場合に、バッテリステーション２１０の異常又は停止を検出する。
【００６０】
状態管理部３５６は、バッテリステーション２１０に格納されている１以上のモバイルバッテリ２２の状態を管理してよい。例えば、状態管理部３５６は、上記のモバイルバッテリ２２の運用状態、充電状態、保管状態及び劣化状態の少なくとも１つを管理する。状態管理部３５６は、モバイルバッテリ２２の異常を検出してよい。状態管理部３５６は、センス部３４０が取得した情報に基づいて、バッテリステーション２１０の状態及び１以上のモバイルバッテリ２２の状態の少なくとも一方を管理してよい。
【００６１】
本実施形態において、制御部３５０がバッテリステーション２１０に配される場合について説明した。しかしながら、制御部３５０は本実施形態に限定されない。他の実施形態において、制御部３５０の機能又は制御部３５０の一部の機能が、管理サーバ２２０により実現される。例えば、充放電制御部３５４及び状態管理部３５６の少なくとも一方が、管理サーバ２２０に配される。充放電制御部３５４の一部が、管理サーバ２２０に配されてもよい。状態管理部３５６の一部が、管理サーバ２２０に配されてもよい。
【００６２】
図４は、充放電制御部３５４の内部構成の一例を概略的に示す。本実施形態において、充放電制御部３５４は、例えば、劣化状態判定部４１０と、放電管理部４２０と、充電管理部４３０とを備える。本実施形態において、充電管理部４３０は、例えば、バッテリ情報取得部４４２と、稼働率情報取得部４４４と、需要情報取得部４４６と、充電条件決定部４５２と、充電条件格納部４５４と、スケジュール決定部４６０とを有する。
【００６３】
劣化状態判定部４１０は、劣化情報取得部の一例であってよい。充電管理部４３０は、情報処理装置の一例であってよい。バッテリ情報取得部４４２は、充電状態取得部、温度情報取得部、及び、劣化情報取得部の一例であってよい。稼働率情報取得部４４４は、充電状態取得部、及び、稼働率取得部の一例であってよい。需要情報取得部４４６は、需要取得部の一例であってよい。充電条件決定部４５２は、温度条件決定部の一例であってよい。スケジュール決定部４６０は、充電対象抽出部の一例であってよい。
【００６４】
本実施形態において、劣化状態判定部４１０は、バッテリステーション２１０に格納されている１以上のモバイルバッテリ２２の少なくとも１つの劣化状態を判定する。例えば、劣化状態判定部４１０は、予め定められた充放電パターンに従って、判定対象となるモバイルバッテリ２２を充電したり、放電したりする。劣化状態判定部４１０は、得られた充放電曲線を解析して、劣化状態判定部４１０の劣化状態を判定する。劣化状態判定部４１０は、モバイルバッテリ２２の劣化状態を示す情報を、モバイルバッテリ２２のメモリに書き込んでよい。
【００６５】
本実施形態において、放電管理部４２０は、１以上のモバイルバッテリ２２のそれぞれの放電を管理する。放電管理部４２０は、例えば、バッテリステーション２１０の放電スケジュールを作成し、当該スケジュールに基づいて、１以上のモバイルバッテリ２２の放電を管理してよい。放電スケジュールは、放電操作の対象となるモバイルバッテリ２２の放電を開始するタイミング、当該放電を終了するタイミング、放電速度などに関する情報を含んでよい。放電管理部４２０は、管理対象となるモバイルバッテリ２２の放電を制御するための命令を生成して、当該命令を制御回路３２０に送信してよい。
【００６６】
充電管理部４３０は、１以上のモバイルバッテリ２２のそれぞれの充電を管理する。充電管理部４３０は、例えば、バッテリステーション２１０の充電スケジュールを作成し、当該スケジュールに基づいて、１以上のモバイルバッテリ２２の充電を管理する。充電スケジュールは、充電操作の対象となるモバイルバッテリ２２の充電を開始するタイミング、充電を終了するタイミング、充電速度などに関する情報を含んでよい。充電管理部４３０は、充電操作の対象となるモバイルバッテリ２２の充電を制御するための命令を生成して、当該命令を制御回路３２０に送信してよい。
【００６７】
まず、充電管理部４３０は、電力の需給予測、モバイルバッテリ２２の需要予測、モバイルバッテリ２２の予約状況、バッテリステーション２１０の稼働率の目標条件などに基づいて、（ｉ）ユーザに貸し出すことのできるモバイルバッテリ２２の個数、（ｉｉ）発電装置３４から受電した電力を蓄電することのできるモバイルバッテリ２２の個数、及び、（ｉｉｉ）電気機器３８に電力を供給することのできるモバイルバッテリ２２の個数の少なくとも１つを決定する。次に、充電管理部４３０は、１以上のモバイルバッテリ２２のそれぞれの充電条件を考慮して、充電操作の対象となるモバイルバッテリ２２を抽出する。その後、充電管理部４３０は、電力の需給予測、モバイルバッテリ２２の需要予測、モバイルバッテリ２２の予約状況などに基づいて、充電を開始するタイミング、充電を終了するタイミング、充電速度などを決定する。
【００６８】
本実施形態において、バッテリ情報取得部４４２は、バッテリステーション２１０に格納されている１以上のモバイルバッテリ２２のそれぞれに関する各種の情報を取得する。一実施形態において、バッテリ情報取得部４４２は、１以上のモバイルバッテリ２２のそれぞれのメモリにアクセスして、当該メモリに記憶された当該モバイルバッテリに関する各種の情報を取得する。例えば、バッテリ情報取得部４４２は、各モバイルバッテリのメモリから、当該モバイルバッテリの劣化情報を取得する。他の実施形態において、バッテリ情報取得部４４２は、管理サーバ２２０から、バッテリステーション２１０に格納されている１以上のモバイルバッテリ２２のそれぞれに関する各種の情報を取得する。
【００６９】
さらに他の実施形態において、バッテリ情報取得部４４２は、センス部３４０から、１以上のモバイルバッテリ２２のそれぞれに関する各種の情報を取得する。バッテリ情報取得部４４２は、センス部３４０から、現在の時刻又は直近の測定時刻における、１以上のモバイルバッテリ２２のそれぞれに関する各種の測定結果を示す情報を取得してよい。バッテリ情報取得部４４２は、センス部３４０から、１以上のモバイルバッテリ２２のそれぞれに関する各種の測定結果と、当該測定結果が取得された測定時刻とが対応づけられた情報を取得してもよい。現在の時刻、直近の測定時刻、及び、測定結果が取得された測定時刻は、特定の時刻の一例であってよい。
【００７０】
例えば、バッテリ情報取得部４４２は、センス部３４０から、１以上のモバイルバッテリ２２のそれぞれの温度を示す情報（温度情報と称する場合がある。）を取得する。バッテリ情報取得部４４２は、センス部３４０から、１以上のモバイルバッテリ２２のそれぞれの充電状態を示す情報を取得してもよい。充電状態を示す情報は、ＳＯＣを示す情報、又は、ＳＯＣを算出するための情報であってよい。ＳＯＣを算出するための情報としては、電圧を示す情報、充電電流の累積値を示す情報などを例示することができる。
【００７１】
本実施形態において、稼働率情報取得部４４４は、管理サーバ２２０から、バッテリステーション２１０の稼働率の目標条件を示す情報を取得する。目標条件は、稼働率の目標となる値又は範囲であってよい。本実施形態において、稼働率情報取得部４４４は、センス部３４０又はバッテリ情報取得部４４２から、１以上のモバイルバッテリ２２のそれぞれの充電状態を示す情報を取得する。稼働率情報取得部４４４は、各モバイルバッテリの充電状態を示す情報に基づいて、バッテリステーション２１０の稼働率を算出又は取得する。
【００７２】
本実施形態において、需要情報取得部４４６は、管理サーバ２２０から、モバイルバッテリ２２の需要に関する情報（需要情報と称する場合がある。）を取得する。需要情報としては、モバイルバッテリ２２の需要予測、モバイルバッテリ２２の予約状況などを例示することができる。需要情報は、時刻又は期間に関する情報と、当該時刻又は期間において必要とされるモバイルバッテリ２２の個数を示す情報とを含んでよい。需要情報は、必要とされるモバイルバッテリ２２の個数を示す情報と、各モバイルバッテリの充電状態に関する条件を示す情報とを含んでよい。
【００７３】
本実施形態において、充電条件決定部４５２は、１以上のモバイルバッテリ２２のそれぞれの充電条件を決定する。例えば、充電条件決定部４５２は、１以上のモバイルバッテリ２２のそれぞれについて、各モバイルバッテリの劣化情報に基づいて、充電開始時又は充電中に許容される温度条件を決定する。充電条件決定部４５２は、１以上のモバイルバッテリ２２のそれぞれについて、充電状態（例えば、ＳＯＣの値又は範囲である。）ごとの温度条件を決定してもよい。温度条件としては、充電が許可される閾値、充電が禁止される閾値、充電が許可される温度範囲、充電が禁止される温度範囲などを例示することができる。温度条件は、充電条件の一例であってよい。
【００７４】
一実施形態において、充電条件決定部４５２は、モバイルバッテリ２２の劣化が進行しているほど、（ｉ）許容される温度範囲が広くなる、（ｉｉ）許容される最高温度が高くなる、又は、（ｉｉ）許容される最低温度が低くなるように、温度条件を決定する、他の実施形態において、充電条件決定部４５２は、モバイルバッテリ２２の劣化が進行しているほど、（ｉ）許容される温度範囲が狭くなる、（ｉｉ）許容される最高温度が低くなる、又は、（ｉｉ）許容される最低温度が高くなるように、温度条件を決定する。
【００７５】
本実施形態において、充電条件格納部４５４は、充電条件決定部４５２が決定した充電条件を示す情報を格納する。例えば、充電条件格納部４５４は、１以上のモバイルバッテリ２２のそれぞれについて、バッテリＩＤと、充電条件とを対応付けて格納する。
【００７６】
本実施形態において、スケジュール決定部４６０は、バッテリステーション２１０における充電スケジュール及び放電スケジュールの少なくとも一方を決定する。スケジュール決定部４６０は、例えば、下記の手順で、充電スケジュールを決定する。なお、スケジュール決定部４６０は、充電スケジュールと同様の手順に従って、放電スケジュールを決定してもよい。
【００７７】
まず、スケジュール決定部４６０は、電力の需給予測、モバイルバッテリ２２の需要予測、モバイルバッテリ２２の予約状況、バッテリステーション２１０の稼働率の目標条件などに基づいて、（ｉ）ユーザに貸し出すことのできるモバイルバッテリ２２の個数（ＮＲＥＮＴ）、（ｉｉ）発電装置３４から受電した電力を蓄電することのできるモバイルバッテリ２２の個数、及び、（ｉｉｉ）電気機器３８に電力を供給することのできるモバイルバッテリ２２の個数の少なくとも１つを決定する。例えば、スケジュール決定部４６０は、管理サーバ２２０から、バッテリステーション２１０の稼働率の目標条件を示す情報を取得して、当該目標条件に基づいて、ユーザに貸し出すことのできるモバイルバッテリ２２の個数（ＮＲＥＮＴ）を決定する。
【００７８】
次に、充電管理部４３０は、１以上のモバイルバッテリ２２のそれぞれの充電条件を考慮して、充電操作の対象（充電対象と称する場合がある。）となるモバイルバッテリ２２を抽出する。スケジュール決定部４６０は、例えば、下記の手順により、充電対象となるモバイルバッテリ２２を抽出する。まず、スケジュール決定部４６０は、バッテリ情報取得部４４２から、バッテリステーション２１０に格納されている１以上のモバイルバッテリ２２のそれぞれの温度を示す情報を取得する。また、スケジュール決定部４６０は、充電条件格納部４５４にアクセスして、充電条件決定部４５２が決定した各モバイルバッテリの充電条件に関する情報を参照して、バッテリステーション２１０に格納されている１以上のモバイルバッテリ２２の温度条件を示す情報を取得する。
【００７９】
次に、スケジュール決定部４６０は、バッテリステーション２１０に格納されている１以上のモバイルバッテリ２２のそれぞれについて、当該モバイルバッテリの温度が、当該モバイルバッテリの温度条件を満足するか否かを判定する。スケジュール決定部４６０は、温度条件を満足していると判定されたモバイルバッテリ２２の中から、貸出可能なモバイルバッテリ２２の個数（ＮＲＥＮＴ）に相当する数のモバイルバッテリ２２を、充電対象となるモバイルバッテリ２２として抽出する。スケジュール決定部４６０は、各モバイルバッテリに設定された優先順位に基づいて、充電対象となるモバイルバッテリ２２を抽出してよい。
【００８０】
一実施形態において、１以上のモバイルバッテリ２２の少なくとも一部の優先順位が、バッテリ管理システム２００の管理者又はモバイルバッテリ２２の管理者により設定されてよい。他の実施形態において、１以上のモバイルバッテリ２２の少なくとも一部の優先順位が、予め定められた条件に基づいて設定されてもよい。さらに他の実施形態において、１以上のモバイルバッテリ２２の少なくとも一部の優先順位が、予約情報に基づいて設定されてよい。例えば、予約情報の中に、特定のモバイルバッテリ２２を指定して予約することを示す情報を含まれている場合、貸出予定時間に応じて、指定されたモバイルバッテリ２２の優先順位が設定される。予約情報における指定の有無に応じて、モバイルバッテリ２２の優先順位が設定されてもよい。
【００８１】
現在充電中の１以上のモバイルバッテリ２２に加えて、予約情報により指定されたモバイルバッテリ２２が新たに充電対象となると、稼働率の目標条件を満足することができなくなる場合がある。この場合、スケジュール決定部４６０は、現在充電中の１以上のモバイルバッテリ２２のうちの少なくとも１つの充電操作を中断又は中止することを決定してよい。
【００８２】
なお、スケジュール決定部４６０は、需要情報取得部４４６が取得した需要情報と、バッテリステーション２１０に格納されている１以上のモバイルバッテリ２２のそれぞれの充電状態とを比較して、バッテリステーション２１０に格納されている１以上のモバイルバッテリ２２が、需要情報により示される需要を満たさない場合に、充電対象となるモバイルバッテリ２２を抽出してよい。スケジュール決定部４６０は、バッテリステーション２１０に格納されている１以上のモバイルバッテリ２２が、需要情報により示される需要を満たしている場合には、充電対象となるモバイルバッテリ２２を抽出しなくてもよい。
【００８３】
充電対象となるモバイルバッテリ２２が抽出されると、スケジュール決定部４６０は、電力の需給予測、モバイルバッテリ２２の需要予測、モバイルバッテリ２２の予約状況などに基づいて、充電を開始するタイミング、充電を終了するタイミング、充電速度などを決定する。これにより、スケジュール決定部４６０は、バッテリステーション２１０の充電スケジュールを作成することができる。
【００８４】
図５は、管理サーバ２２０のシステム構成の一例を概略的に示す。本実施形態において、管理サーバ２２０は、例えば、状態監視部５１０と、関連度算出部５２０と、稼働率管理部５３０と、予約管理部５４０と、通信制御部５５０と、要求処理部５６０と、格納部５７０とを備える。本実施形態において、格納部５７０は、例えば、バッテリ情報格納部５７２と、関連度情報格納部５７４と、ステーション情報格納部５７６とを有する。
【００８５】
状態監視部５１０は、ユーザ位置取得部、充電状態取得部、移動速度取得部、温度情報取得部、劣化情報取得部、及び、稼働率取得部の一例であってよい。稼働率管理部５３０は、情報処理装置の一例であってよい。要求処理部５６０は、情報処理装置の一例であってよい。関連度情報格納部５７４は、関連具合格納部の一例であってよい。
【００８６】
本実施形態において、状態監視部５１０は、管理対象となるバッテリステーションのそれぞれを監視する。状態監視部５１０は、管理対象となるバッテリステーションのそれぞれから、各バッテリステーションの運転状態及び運用状態の少なくとも一方に関する情報を取得する。例えば、状態監視部５１０は、管理対象となるバッテリステーションのそれぞれから、各バッテリステーションの稼働率を示す情報を取得する。状態監視部５１０は、管理対象となるバッテリステーションのそれぞれから、各バッテリステーションにおける異常の有無を示す情報を取得してもよい。状態監視部５１０は、管理対象となるバッテリステーションのそれぞれから、各バッテリステーション２１０の停止又は停止の予定を示す情報を取得してもよい。
【００８７】
本実施形態において、状態監視部５１０は、管理対象となるモバイルバッテリのそれぞれを監視する。例えば、状態監視部５１０は、管理対象となるバッテリステーションのそれぞれから、各バッテリステーションに格納されているモバイルバッテリの運用状態、充電状態、保管状態及び劣化状態の少なくとも1つに関する情報を取得する。
【００８８】
本実施形態において、状態監視部５１０は、ユーザの状態を監視する。例えば、状態監視部５１０は、ユーザ端末２３０から、ユーザに関する各種の情報を取得する。状態監視部５１０は、ユーザ端末２３０から、ユーザ端末２３０の位置を示す位置情報を取得してよい。状態監視部５１０は、ユーザ端末２３０から、ユーザ端末２３０の移動履歴を示す情報を取得してよい。この場合、移動履歴は、ＧＰＳ信号により示される位置と、当該ＧＰＳ信号が受信された時刻とにより表されてよい。
【００８９】
状態監視部５１０は、管理対象となるバッテリステーションのそれぞれから、管理対象となるモバイルバッテリのメモリに格納されていた、ユーザの移動履歴に関する情報を取得してもよい。一実施形態において、移動履歴は、モバイルバッテリが格納されたバッテリステーションのステーションＩＤと、当該モバイルバッテリがバッテリステーションに格納された時刻とにより表されてよい。ユーザの移動履歴に関する情報は、例えば、モバイルバッテリを格納したバッテリステーションにより、当該モバイルバッテリ２２のメモリに書き込まれる。他の実施形態において、移動履歴は、ＧＰＳ信号により示される位置と、当該ＧＰＳ信号が受信された時刻とにより表されてよい。ユーザの移動履歴に関する情報は、例えば、モバイルバッテリを利用する移動体により、当該モバイルバッテリのメモリに書き込まれる。
【００９０】
状態監視部５１０は、管理対象となるバッテリステーションのそれぞれから、管理対象となるモバイルバッテリのメモリに格納されていた、ユーザの移動速度に関する情報を取得してもよい。ユーザの移動速度に関する情報は、例えば、ユーザの移動速度の統計量を示す情報であってよい。一実施形態によれば、モバイルバッテリを利用する移動体により、ユーザの移動速度の履歴又は統計量を示す情報が、当該モバイルバッテリのメモリに書き込まれる。他の実施形態によれば、状態監視部５１０は、ユーザ端末２３０又はユーザの移動履歴に基づいて、ユーザの移動速度の統計量を算出又は取得してよい。ユーザ端末２３０又はユーザの移動履歴を示す情報は、ユーザの移動速度に関する情報の一例であってよい。
【００９１】
本実施形態において、関連度算出部５２０は、管理対象となるステーションのそれぞれの関連の程度（関連度と称する場合がある。）を算出する。例えば、関連度算出部５２０は、バッテリステーション２１０と、１以上のバッテリステーション２１２及び１以上のバッテリステーション２１４のそれぞれとの関連度を算出する。関連度は、連続した数値により表されてもよく、複数の区分により示されてもよい。関連度算出部５２０は、算出された関連度を、関連度情報格納部５７４に格納する。関連度は、関連具合の一例であってよい。
【００９２】
関連度算出部５２０は、（ｉ）少なくとも１つのバッテリステーションのそれぞれと、１以上の他のバッテリステーションのそれぞれとの地理的関係、及び、（ｉｉ）少なくとも１つのバッテリステーションのそれぞれと、１以上の他のバッテリステーションのそれぞれとの間でのモバイルバッテリ２２の移動履歴の少なくとも一方に基づいて、関連度を算出してよい。例えば、関連度算出部５２０は、（ｉ）バッテリステーション２１０と、１以上のバッテリステーション２１２及び１以上のバッテリステーション２１４のそれぞれとの地理的関係、及び、（ｉｉ）バッテリステーション２１０と、１以上のバッテリステーション２１２及び１以上のバッテリステーション２１４のそれぞれとの間における、１以上のモバイルバッテリ２２の移動履歴の少なくとも一方に基づいて、バッテリステーション２１０と、１以上のバッテリステーション２１２及び１以上のバッテリステーション２１４のそれぞれとの関連度を算出する。
【００９３】
地理的関係としては、２つのバッテリステーションの間の距離、２つのバッテリステーションのそれぞれが配置されているエリア同士の関係などを例示することができる。上述のとおり、各モバイルバッテリの移動履歴は、当該モバイルバッテリが格納されたバッテリステーションの履歴であってよい。一実施形態によれば、２つのバッテリステーションの間の距離が近いほど、関連度が大きくなる。他の実施形態によれば、２つのバッテリステーションのそれぞれが配置されているエリア同士の距離が近いほど、関連度が大きくなる。さらに他の実施形態によれば、２つのバッテリステーションにおいて同一のモバイルバッテリ２２が格納される頻度が大きいほど、関連度が大きくなる。
【００９４】
さらに他の実施形態によれば、一のバッテリステーションと、当該一のバッテリステーションとの関連度が予め定められた値よりも大きなバッテリステーションとの間に配置されている他のバッテリステーションに関して、当該一のバッテリステーション２１０及び当該他のバッテリステーションの関連度は、（ｉ）上記の関連度の大きなバッテリステーションの関連度の大きさ、並びに、（ｉｉ）上記の他のバッテリステーションと、上記の一のバッテリステーション及び上記の関連度の大きなバッテリステーションの少なくとも一方との地理的関係の少なくとも一方に基づいて、算出されてよい。上記一のバッテリステーション２１０及び上記他のバッテリステーションの関連度は、上記一のバッテリステーション２１０及び上記関連度の大きなバッテリステーションの関連度と同じか、それより小さくてよい。
【００９５】
例えば、（ｉ）上記の一のバッテリステーション及び上記の関連度の大きなバッテリステーションの直線距離と、（ｉｉ）上記の一のバッテリステーション及び上記の他のバッテリステーションの直線距離、並びに、上記の他のバッテリステーション及び上記の関連度の大きなバッテリステーションの直線距離の合計値との差が小さいほど、上記一のバッテリステーション２１０及び上記他のバッテリステーションの関連度が大きくなる。例えば、（ｉ）上記の一のバッテリステーション及び上記の関連度の大きなバッテリステーションの移動時間の統計量と、（ｉｉ）上記の一のバッテリステーション及び上記の他のバッテリステーションの移動時間の統計量、並びに、上記の他のバッテリステーション及び上記の関連度の大きなバッテリステーションの移動時間の統計量の合計値との差が小さいほど、上記一のバッテリステーション２１０及び上記他のバッテリステーションの関連度が大きくなる。
【００９６】
本実施形態において、稼働率管理部５３０は、管理対象となるバッテリステーションの少なくとも一部の稼働率を管理する。例えば、稼働率管理部５３０は、特定のエリアに配された複数のバッテリステーションの稼働率の統計量が目標条件を満足するように、当該複数のバッテリステーションの少なくとも一部の稼働率を管理する。稼働率管理部５３０は、管理対象となるバッテリステーションのそれぞれの稼働率を管理してもよい。稼働率管理部５３０の詳細は後述する。
【００９７】
本実施形態において、予約管理部５４０は、管理対象となるモバイルバッテリの予約状況を管理する。例えば、予約管理部５４０は、要求処理部５６０における予約受付処理の結果（予約情報と称する場合がある。）を格納する。予約情報は、例えば、ユーザＩＤ、受取日、受取予定時刻、ステーションＩＤ、バッテリＩＤ、希望する充電状態、利用料金、支払方法などに関する情報を含む。予約情報は、予約要求が受け付けられた時刻（予約時刻と称する場合がある）を示す情報、及び、予約時刻におけるユーザの位置を示す情報を含んでもよい。予約管理部５４０は、予約情報の履歴を管理してよい。
【００９８】
本実施形態において、通信制御部５５０は、通信を制御する。一実施形態において、通信制御部５５０は、管理サーバ２２０と、管理対象となるバッテリステーションのそれぞれとの間の通信を制御する。他の実施形態において、通信制御部５５０は、管理サーバ２２０と、ユーザ端末２３０との間の通信を制御する。通信制御部５５０は、通信インタフェースであってもよい。通信制御部５５０は、１以上の種類の通信方式に対応してよい。
【００９９】
本実施形態において、要求処理部５６０は、ユーザ端末２３０から、各種の要求を受信する。要求処理部５６０は、管理対象となるバッテリステーションの少なくとも１つから、各種の要求を受信する。要求処理部５６０は、受信された要求を処理する。要求処理部５６０は、受信された要求を処理する。要求処理部５６０の詳細は後述する。
【０１００】
本実施形態において、格納部５７０は、各種の情報を格納する。本実施形態において、バッテリ情報格納部５７２は、管理対象となるモバイルバッテリのそれぞれに関する情報を格納する。バッテリ情報格納部５７２は、モバイルバッテリ２２のユーザに関する各種の情報を格納してもよい。バッテリ情報格納部５７２は、１以上のユーザに関する各種の情報を格納してもよい。バッテリ情報格納部５７２は、１以上のユーザのそれぞれの移動履歴又は移動速度に関する情報を格納してもよい。本実施形態において、ステーション情報格納部５７６は、管理対象となるバッテリステーションのそれぞれに関する各種の情報を格納する。
【０１０１】
本実施形態において、関連度情報格納部５７４は、関連度を示す情報を格納する。関連度情報格納部５７４は、管理対象の対象となるバッテリステーションのそれぞれについて、当該バッテリステーションのステーションＩＤと、他のバッテリステーションのそれぞれとの管理度とを対応付けて格納してよい。関連度情報格納部５７４は、管理対象の対象となるバッテリステーションのそれぞれについて、当該バッテリステーションのステーションＩＤと、管理度の区分と、当該区分に分類された他のバッテリステーションのステーションＩＤとを対応付けて格納してもよい。
【０１０２】
図６は、稼働率管理部５３０の内部構成の一例を概略的に示す。本実施形態において、稼働率管理部５３０は、例えば、稼働率決定部６１０と、稼働率調整部６２０とを備える。本実施形態において、稼働率決定部６１０は、例えば、需給予測部６１２と、エリア稼働率決定部６１４と、個別稼働率決定部６１６とを有する。本実施形態において、稼働率調整部６２０は、例えば、イベント検出部６２２と、調整対象抽出部６２４と、調整量決定部６２６とを有する。
【０１０３】
稼働率調整部６２０は、情報処理装置の一例であってよい。イベント検出部６２２は、異常検出部の一例であってよい。調整対象抽出部６２４は、稼働率取得部、及び、格納装置抽出部の一例であってよい。調整量決定部６２６は、調整部の一例であってよい。
【０１０４】
本実施形態において、稼働率決定部６１０は、管理対象となるバッテリステーションの少なくとも一部の稼働率の目標条件を決定する。稼働率決定部６１０は、管理対象となるバッテリステーションのそれぞれの稼働率の目標条件を決定してよい。稼働率決定部６１０は、特定の時刻又は期間における稼働率の目標条件を決定してもよい。
【０１０５】
本実施形態において、需給予測部６１２は、管理対象となるバッテリステーションのそれぞれにおける電力需給を予測する。需給予測部６１２は、特定の時刻又は期間における電力需給を予測してもよい。一実施形態において、需給予測部６１２は、各バッテリステーションにおけるモバイルバッテリの需要を予測する。他の実施形態において、需給予測部６１２は、各バッテリステーションにおける発電装置３４の発電量を予測する。さらに他の実施形態において、需給予測部６１２は、各バッテリステーションにおける電気機器３８の要求電力量を予測する。
【０１０６】
需給予測部６１２は、例えば、各バッテリステーションの周辺における催事情報、気象情報、災害情報、事故情報、交通情報及び各種の履歴情報の少なくとも１つに基づいて、各バッテリステーションにおける電力需給を予測する。需給予測部６１２は、（ｉ）各バッテリステーションのエリアにおける催事情報、気象情報、災害情報、事故情報及び交通情報の少なくとも１つ、（ｉｉ）各バッテリステーションにおける過去の貸出状況又は予約状況に関する履歴情報、及び、（ｉｉｉ）各バッテリステーションにおける現在の予約状況に関する情報の少なくとも１つに基づいて、各バッテリステーションにおけるモバイルバッテリの需要を予測してよい。
【０１０７】
需給予測部６１２は、電力需給に関する情報を生成してよい。例えば、需給予測部６１２は、管理対象となるバッテリステーションのそれぞれについて、モバイルバッテリ２２の需要情報を生成する。需要情報は、特定の時刻又は期間を示す情報と、当該特定の時刻又は期間における、貸出可能なモバイルバッテリ２２の個数とが対応付けられた情報であってもよい。
【０１０８】
本実施形態において、エリア稼働率決定部６１４は、需給予測部６１２が生成した電力需給に関する情報に基づいて、エリア毎の稼働率の目標条件を決定する。本実施形態において、個別稼働率決定部６１６は、需給予測部６１２が生成した電力需給に関する情報に基づいて、バッテリステーション毎の稼働率の目標条件を決定する。
【０１０９】
本実施形態において、稼働率調整部６２０は、管理対象となるバッテリステーションのうち、少なくとも１つのバッテリステーションの稼働率に変動を生じさせ得るイベントが発生した場合に、稼働率の目標条件を調整することを決定する。稼働率調整部６２０は、上記のイベントの発生を検出した場合に、当該イベントの発生を示す情報を、ユーザ端末２３０に送信してよい。稼働率調整部６２０は、特定のエリアに関する稼働率の目標条件を調整することを決定した場合、新たな目標条件を示す情報を、当該特定のエリア内に配されたバッテリステーションに送信してよい。稼働率調整部６２０は、特定のバッテリステーションに関する稼働率の目標条件を調整することを決定した場合、新たな目標条件を示す情報を、当該バッテリステーションに送信してよい。
【０１１０】
本実施形態において、イベント検出部６２２は、管理対象となるバッテリステーションのうち、少なくとも１つのバッテリステーションの稼働率に変動を生じさせ得るイベントの発生を検出する。イベントの発生を検出するとは、現実にイベントが発生したことを検出する態様だけでなく、イベントの発生が予見されることを検出する態様をも含む。例えば、イベント検出部６２２は、状態監視部５１０が取得する情報に基づいて、管理対象となるバッテリステーションの少なくとも１つの異常又は停止を検出する。
【０１１１】
本実施形態において、調整対象抽出部６２４は、上記のイベントの発生が検出された場合に、稼働率の目標条件を調整すべき１以上のバッテリステーション（調整対象と称する場合がある。）を抽出する。調整対象抽出部６２４は、例えば、下記の手順により、調整対象を抽出する。
【０１１２】
まず、調整対象抽出部６２４は、例えば、状態監視部５１０から、管理対象となるバッテリステーションのそれぞれの稼働率を示す情報を取得する。また、調整対象抽出部６２４は、イベント検出部６２２から、上記のイベントの発生が検出されたことを示す情報を取得する。調整対象抽出部６２４は、イベント検出部６２２から、当該イベントが発生したバッテリステーションのステーションＩＤを取得してもよい。
【０１１３】
次に、調整対象抽出部６２４は、上記のイベントの発生が検出された場合に、管理対象となる複数のバッテリステーションの中から、当該イベントが発生したバッテリステーションと関連のある１以上のバッテリステーションを抽出する。調整対象抽出部６２４は、関連度情報格納部５７４を参照して、バッテリステーション同士の関連度に基づいて、上記のイベントが発生したバッテリステーションと関連のある１以上のバッテリステーションを抽出してもよい。
【０１１４】
例えば、イベント検出部６２２が、バッテリステーション２１０の異常又は停止を検出した場合、調整対象抽出部６２４は、バッテリステーション２１０との関連度が予め定められた条件を満足するバッテリステーション（例えば、１以上のバッテリステーション２１２である。）を、バッテリステーション２１０と関連のあるバッテリステーションとして抽出する。上記の予め定められた条件は、異常又は停止が検出されたバッテリステーション２１０の（ｉ）仕様に関する事項、（ｉｉ）貸出実績に関する事項及び（ｉｉｉ）稼働率に関する事項の少なくとも１つに基づいて決定されてよい。
【０１１５】
一実施形態によれば、バッテリステーション２１０の最大格納個数及び充電能力の少なくとも一方が大きいほど、バッテリステーション２１０と関連のあるバッテリステーションとして抽出されるバッテリステーションの範囲が広くなるように、上記の条件が決定される。他の実施形態によれば、過去の貸出実績に基づいて算出された、異常又は停止が解消するまでの期間における貸出個数の推測値が大きいほど、バッテリステーション２１０と関連のあるバッテリステーションとして抽出されるバッテリステーションの範囲が広くなるように、上記の条件が決定される。さらに他の実施形態によれば、異常又は停止が解消するまでの期間における稼働率の目標条件が大きいほど、バッテリステーション２１０と関連のあるバッテリステーションとして抽出されるバッテリステーションの範囲が広くなるように、上記の条件が決定される。
【０１１６】
本実施形態において、調整量決定部６２６は、調整対象抽出部６２４が抽出した１以上の調整対象の少なくとも１つについて、稼働率を調整することを決定する。例えば、調整量決定部６２６は、調整対象となるバッテリステーションの（ｉ）仕様に関する事項、（ｉｉ）貸出実績に関する事項、（ｉｉｉ）稼働率に関する事項、及び、（ｉｖ）配置されている位置の少なくとも１つに基づいて、調整対象抽出部６２４が抽出した調整対象の中から、実際に稼働率を調整するバッテリステーションを決定する。
【０１１７】
一実施形態によれば、調整量決定部６２６は、調整対象抽出部６２４が抽出した１以上のバッテリステーション２１２の中から、最大格納個数及び充電能力の少なくとも一方が大きなバッテリステーションについて、稼働率を調整することを決定する。他の実施形態によれば、調整量決定部６２６は、調整対象抽出部６２４が抽出した１以上のバッテリステーション２１２の中から、地理的なバラつきが小さくなるように、実際に稼働率を調整するバッテリステーションを決定する。
【０１１８】
また、調整量決定部６２６は、調整量決定部６２６が稼働率を調整することを決定したバッテリステーションについて、稼働率の目標条件の調整量（稼働率の調整量と称する場合がある。）を決定してよい。調整量決定部６２６は、調整対象抽出部６２４が抽出した１以上の調整対象のそれぞれについて、稼働率の目標条件の調整量を決定してもよい。
【０１１９】
一実施形態において、調整量決定部６２６は、調整量決定部６２６が稼働率を調整することを決定したバッテリステーションと、バッテリステーション２１０との関連度に基づいて、稼働率の目標条件の調整量を決定する。他の実施形態において、調整量決定部６２６は、異常又は停止が検出されたバッテリステーション２１０の（ｉ）仕様に関する事項、（ｉｉ）貸出実績に関する事項及び（ｉｉｉ）稼働率に関する事項の少なくとも１つに基づいて、稼働率の目標条件の調整量を決定する。調整量決定部６２６は、調整対象抽出部６２４における抽出処理の場合と同様の手順により、バッテリステーション２１０の仕様、貸出実績及び稼働率の少なくとも１つに基づいて、稼働率の目標条件の調整量を決定してよい。
【０１２０】
図７は、要求処理部５６０の内部構成の一例を概略的に示す。本実施形態において、要求処理部５６０は、例えば、履歴情報取得部７１２と、予約情報取得部７１４と、バッテリ情報取得部７１６と、ステーション情報取得部７１８と、推定部７２０と、料金設定部７３０と、ユーザ要求取得部７４０と、ＵＩ画面生成部７５０とを備える。
【０１２１】
履歴情報取得部７１２は、充電速度取得部及び移動速度取得部の一例であってよい。予約情報取得部７１４は、ユーザ位置取得部の一例であってよい。バッテリ情報取得部７１６は、充電速度取得部及び充電状態取得部の一例であってよい。ステーション情報取得部７１８は、配置情報取得部の一例であってよい。推定部７２０は、情報処理装置、充電状態推定部及び状態情報生成部の一例であってよい。ＵＩ画面生成部７５０は、状態情報生成部の一例であってよい。
【０１２２】
本実施形態において、要求処理部５６０は、ユーザ端末２３０から、バッテリステーションの検索要求、又は、モバイルバッテリの予約要求を受信すると、ユーザの要求に合致するバッテリステーションに関する情報を、ユーザ端末２３０に送信する。また、要求処理部５６０は、検索処理又は予約処理におけるＧＵＩを提供する。
【０１２３】
本実施形態において、履歴情報取得部７１２は、各種の履歴情報を取得する。一実施形態において、履歴情報取得部７１２は、ステーション情報格納部５７６から、任意のバッテリステーションの充電能力に関する履歴情報を取得する。例えば、履歴情報取得部７１２は、任意のバッテリステーションが、過去に任意のモバイルバッテリ２２を充電したときの充電速度に関する情報を取得する。
【０１２４】
他の実施形態において、履歴情報取得部７１２は、バッテリ情報格納部５７２から、任意のユーザの移動履歴に関する情報、及び、任意のユーザの移動速度に関する情報の少なくとも一方を取得してもよい。履歴情報取得部７１２は、バッテリ情報格納部５７２から、任意のユーザの移動速度の統計量を取得してもよい。履歴情報取得部７１２は、バッテリ情報格納部５７２から、任意のユーザの燃費又は電費の統計量を取得してもよい。履歴情報取得部７１２は、バッテリ情報格納部５７２から、任意のユーザの単位時間の消費電力量の統計量を取得してもよい。履歴情報取得部７１２は、任意のユーザの移動履歴に関する情報に基づいて、当該ユーザの（ｉ）移動速度、（ｉｉ）燃費又は電費、及び、（ｉｉｉ）単位時間当たりの消費電力量の少なくとも１つの統計量を算出してもよい。
【０１２５】
本実施形態において、予約情報取得部７１４は、任意のモバイルバッテリ２２の予約の内容を示す予約情報を取得する。例えば、予約情報取得部７１４は、予約管理部５４０から、任意のモバイルバッテリ２２に関する予約情報を取得する。上述のとおり、予約情報は、例えば、ユーザＩＤ、受取日、受取予定時刻、ステーションＩＤ、バッテリＩＤ、希望する充電状態、利用料金、支払方法などに関する情報を含む。予約情報は、予約時刻を示す情報、及び、予約時刻におけるユーザの位置を示す情報を含んでもよい。
【０１２６】
本実施形態において、バッテリ情報取得部７１６は、任意のモバイルバッテリ２２に関する各種の情報を取得する。例えば、バッテリ情報取得部７１６は、バッテリ情報格納部５７２から、任意のモバイルバッテリ２２の充電状態を示す情報を取得する。バッテリ情報取得部７１６は、特定の時刻における充電状態を示す情報を取得してもよい。例えば、バッテリ情報取得部７１６は、現在の時刻又は直近の測定時刻における充電状態を示す情報を取得する。バッテリ情報取得部７１６は、任意のモバイルバッテリ２２が、過去に任意のバッテリステーションにより充電されたときの充電速度に関する情報を取得してもよい。
【０１２７】
本実施形態において、ステーション情報取得部７１８は、任意のバッテリステーションに関する各種の情報を取得する。ステーション情報取得部７１８は、ステーション情報格納部５７６から、任意のステーションが配置されている位置を示す配置情報を取得してよい。例えば、ステーション情報取得部７１８は、予約情報取得部７１４が取得した予約情報に含まれるステーションＩＤをキーとして、当該ステーションＩＤで示されるバッテリステーションの配置情報を取得する。ステーション情報取得部７１８は、予約情報取得部７１４が取得した予約情報に含まれるステーションＩＤをキーとして、当該ステーションＩＤで示されるバッテリステーションに格納されている１以上のモバイルバッテリ２２の優先順位を示す情報を取得してもよい。
【０１２８】
本実施形態において、推定部７２０は、将来の特定の時点におけるモバイルバッテリ２２の充電状態を推定する。例えば、推定部７２０は、特定のモバイルバッテリ２２の予約情報に含まれるユーザＩＤで識別されるユーザが、予約情報に含まれるステーションＩＤで識別されるバッテリステーションに到着する予定時刻（到着予定時刻と称する場合がある。）における、当該特定のモバイルバッテリ２２の充電状態を推定する。
【０１２９】
推定部７２０は、例えば、下記の手順により、モバイルバッテリ２２の充電状態を推定する。まず、推定部７２０は、到着予定時刻を推定する。例えば、推定部７２０は、予約情報取得部７１４から、予約情報を取得する。予約情報には、予約時刻におけるユーザの位置を示す情報が含まれていてよい。予約時刻は、特定の時刻の一例であってよい。推定部７２０は、ステーション情報取得部７１８から、予約情報に含まれるステーションＩＤで識別されるバッテリステーションの配置情報を取得する。推定部７２０は、履歴情報取得部７１２から、予約情報に含まれるユーザＩＤで識別されるユーザの移動速度に関する情報を取得する。そして、推定部７２０は、バッテリステーションの配置情報と、予約時のユーザの位置を示す情報と、ユーザの移動速度を示す情報に基づいて、到着予定時刻を推定する。推定部７２０は、交通情報、事故情報、気象情報などをさらに利用して、到着予定時刻を推定してもよい。予約情報に、受取予定時刻を示す情報が含まれている場合、当該受取予定時刻を、到着予定時刻として利用してよい。
【０１３０】
次に、推定部７２０は、仮に、予約時刻から到着時刻までモバイルバッテリ２２を充電した場合における、充電状態の変化量を推定する。充電状態の変化量としては、ＳＯＣの増加量などを例示することができる。まず、推定部７２０は、例えば履歴情報取得部７１２から、予約情報に含まれるステーションＩＤで識別されるバッテリステーションが、予約情報に含まれるバッテリＩＤで識別されるモバイルバッテリ２２を充電したときの充電速度に関する情報を取得する。充電速度に関する情報は、充電速度の統計量であってよい。推定部７２０は、予約情報に含まれるステーションＩＤで識別されるバッテリステーションが他のモバイルバッテリ２２を充電したときの充電速度を、予約情報に含まれるバッテリＩＤで識別されるモバイルバッテリ２２を充電したときの充電速度に関する情報をとして利用してもよい。推定部７２０は、予約時刻、推定された到着予定時刻、及び、充電速度に関する情報に基づいて、上記の充電状態の変化量を推定する。
【０１３１】
次に、推定部７２０は、到着予定時刻における充電状態を推定する。例えば、推定部７２０は、バッテリ情報取得部７１６から、予約時刻における、予約情報に含まれるバッテリＩＤで識別されるモバイルバッテリ２２の充電状態を示す情報を取得する。予約時刻における充電状態が不明である場合、推定部７２０は、バッテリ情報格納部５７２にアクセスして、予約時刻に最も近い時刻における充電状態を示す情報を取得してよい。推定部７２０は、上記の予約時刻における充電状態と、上記の充電状態の変化量とに基づいて、到着予定時刻における充電状態を推定する。
【０１３２】
本実施形態において、推定部７２０は、仮に、ユーザが特定のモバイルバッテリ２２を利用した場合における利用状況を推定する。例えば、ユーザが、モバイルバッテリ２２を移動体の電源として利用する場合、推定部７２０は、当該モバイルバッテリ２２を利用して走行可能な距離を推定する。推定部７２０は、バッテリ情報取得部７１６から、ユーザの燃費若しくは電燃、又は、単位時間当たりの消費電力量に関する情報を取得する。単位時間としては、１時間、１日などの期間を例示することができる。推定部７２０は、到着予定時刻における充電状態と、上記の燃費、電費又は消費電力量とに基づいて、走行可能距離を算出する。
【０１３３】
本実施形態において、料金設定部７３０は、モバイルバッテリ２２の利用料金、インセンティブ及びペナルティの少なくとも１つに関する情報を生成する。一実施形態において、料金設定部７３０は、割引料金又はインセンティブを設定する。例えば、料金設定部７３０は、ステーション情報取得部７１８から、モバイルバッテリ２２に設定された優先順位に関する情報を取得する。推定部７２０は、優先順位が予め定められた条件を満足する場合に、割引料金又はインセンティブを設定する。予め定められた条件としては、予め定められた順位よりも上位であるという条件などを例示することができる。
【０１３４】
他の実施形態において、料金設定部７３０は、割増料金又はペナルティを設定する。例えば、料金設定部７３０は、ステーション情報取得部７１８から、モバイルバッテリ２２に設定された優先順位に関する情報を取得する。推定部７２０は、優先順位が予め定められた条件を満足する場合に、割増料金又はペナルティを設定する。予め定められた条件としては、予め定められた順位よりも下位であるという条件などを例示することができる。推定部７２０は、ユーザからの付加的な要求に応じて、割増料金又はペナルティを設定してもよい。
【０１３５】
本実施形態において、ユーザ要求取得部７４０は、ユーザ端末２３０から、各種の要求を取得する。例えば、ユーザ要求取得部７４０は、ユーザ端末２３０から、特定の条件に合致するバッテリステーションの検索を要求する検索要求を取得する。ユーザ要求取得部７４０は、ユーザ端末２３０から、任意の又は特定のモバイルバッテリの予約を要求する予約要求を取得する。ユーザ要求取得部７４０は、ユーザ端末２３０からの要求を受け付けると、当該要求に対応する情報処理を開始する。
【０１３６】
本実施形態において、ＵＩ画面生成部７５０は、ＵＩ画面を生成する。例えば、ＵＩ画面生成部７５０は、ユーザ端末２３０にＵＩ画面を生成させるためのデータ（ＵＩ画面のデータと称する場合がある。）を生成する。ＵＩ画面生成部７５０は、例えば、ユーザ要求取得部７４０が検索要求を受信したことに応じて、検索要求用のＧＵＩを提供するＵＩ画面のデータを生成する。ＵＩ画面生成部７５０は、ユーザ要求取得部７４０が予約要求を受信したことに応じて、予約要求用のＧＵＩを提供するＵＩ画面のデータを生成してよい。これらのＵＩ画面のデータは、ユーザ端末２３０上で実行されると、例えば、１以上のモバイルバッテリ２２の少なくとも１つに関する（ｉ）特定の時刻における充電状態と、（ｉｉ）ユーザの到着予定時刻における充電状態とが対応付けられたＵＩ画面が、ユーザに出力され得る。ＵＩ画面生成部７５０は、例えば、検索要求又は予約要求が送信又は受信された時刻における充電状態と、ユーザの到着予定時刻における充電状態とを対応付けて表示するためのＵＩ画面のデータを生成してよい。検索要求又は予約要求が送信又は受信された時刻は、特定の時刻の一例であってよい。ＵＩ画面の詳細は、後述する。
【０１３７】
ＵＩ画面生成部７５０は、例えば、下記の手順により、ＵＩ画面のデータを生成する。ＵＩ画面生成部７５０は、まず、バッテリ情報取得部７１６から、検索要求又は予約要求が送信又は受信された時刻における、検索要求又は予約要求に合致する１以上のモバイルバッテリ２２のそれぞれの充電状態に関する情報と取得する。ＵＩ画面生成部７５０は、推定部７２０から、検索要求又は予約要求に合致する１以上のバッテリステーションのそれぞれに到着する予定時刻おける、上記の１以上のモバイルバッテリ２２のそれぞれの充電状態に関する情報を取得する。次に、ＵＩ画面生成部７５０は、バッテリ情報取得部７１６からの充電状態に関する情報と、推定部７２０からの充電状態に関する情報とに基づいて、検索要求又は予約要求が送信又は受信された時刻における、上記の１以上のモバイルバッテリ２２のそれぞれの充電状態と、到着予定時刻における、上記の１以上のモバイルバッテリ２２のそれぞれの充電状態とを対応付けて表示するためのＵＩ画面のデータを生成する。ＵＩ画面生成部７５０は、さらに、利用料金及びインセンティブの少なくとも一方に関する事項が対応付けられたＵＩ画面のデータを生成してもよい。
【０１３８】
図８は、画面８００の一例を概略的に示す。本実施形態において、画面８００は、地図情報が表示される領域８０２と、地図以外の情報が表示される領域８０４とを含む。領域８０４には、領域８０２に表示さえたエリアに関連する１以上のバッテリステーションの情報が表示されてよい。領域８０４には、広告情報が表示されてもよい。
【０１３９】
本実施形態において、領域８０２には、各種のアイコンが地図上に重畳して配される。例えば、領域８０２には、ポインタ、アイコン８１０、アイコン８２０、及び、ポップアップ画面８３０が配される。アイコン８１０は、ユーザの現在位置を示す。アイコン８２０は、バッテリステーションの位置を示す。ポップアップ画面８３０は、ポインタで指示されたバッテリステーションに関する情報を表示する。ポップアップ画面８３０には、アイコン８３２及びアイコン８３４が配される。アイコン８３２には、例えば、管理サーバ２２０に、予約要求を送信するためのコマンドが埋め込まれる。アイコン８３４には、例えば、管理サーバ２２０に、ポインタで指示されたバッテリステーションに関する詳細な情報を要求するためのコマンドが埋め込まれる。
【０１４０】
図９は、画面９００の一例を概略的に示す。本実施形態において、画面９００は、ユーザが、ユーザ端末２３０の表示装置に表示された画面８００のアイコン８３４をクリックした場合に表示される画面の一例であってよい。本実施形態において、画面９００は、領域９１０と、領域９２０と、アイコン９３０と、領域９４０と、領域９４６と、アイコン９５０とを有する。
【０１４１】
領域９１０には、バッテリステーションに関する基本的な情報が表示される。領域９２０には、ユーザが選択したバッテリを移動体の電力源として利用した場合における、移動体の走行可能距離を示す情報が表示される。アイコン９３０には、例えば、管理サーバ２２０に、予約要求を送信するためのコマンドが埋め込まれる。領域９４０には、バッテリステーションに格納される１以上のモバイルバッテリの少なくとも１部の充電状態を示す情報が表示される。充電状態を示す情報は、現在のＳＯＣ９４２を示す情報と、予約時刻から到着予定時刻までの期間におけるＳＯＣの増加量９４４を示す情報とを含んでよい。領域９４６には、料金設定に関する情報が表示される。アイコン９５０は、ユーザが、アイコン９５０に対応するバッテリを選択するためのチェックボックスであってよい。
【０１４２】
図１０は、画面１０００の一例を概略的に示す。本実施形態において、画面１０００は、ユーザが、ユーザ端末２３０の表示装置に表示された画面８００のアイコン８３４をクリックした場合に表示される画面の一例であってよい。本実施形態において、画面１０００は、バッテリステーションが、複数のモバイルバッテリを１組として貸し出す場合における画面の一例であってよい。
【０１４３】
画面１０００は、領域９４０の代わりに、領域１０４０を有する点で、画面９００と相違する。画面１０００の領域９４６は、バッテリの組ごとの料金設定に関する情報を含む点で、画面９００の領域９４６と相違する。画面１０００のアイコン９５０は、ユーザがバッテリの組を選択するためのチェックボックスを含む点で、画面９００のアイコン９５０と相違する。画面１０００は、上記の相違点以外の特徴については、画面９００と同様の構成を有してよい。本実施形態によれば、領域１０４０において、点線で囲まれた２つのモバイルバッテリは、同時に貸し出される１組のバッテリを示す。
【０１４４】
図１１は、データテーブル１１００の一例を概略的に示す。本実施形態において、データテーブル１１００は、例えば、バッテリＩＤ１１１０と、劣化具合１１２０と、充電速度１１３０と、現在のＳＯＣ１１４０と、貸出状況１１５０と、運用状況１１６０と、格納場所１１７０とを対応付けて格納する。
【０１４５】
図１２は、データテーブル１２００の一例を概略的に示す。本実施形態において、データテーブル１２００は、例えば、ステーションＩＤ１２１０と、関連ステーションＩＤ１２２０とを対応付けて格納する。関連ステーションＩＤ１２２０は、関連度が比較的高いバッテリステーションのステーションＩＤ１２３０と、関連度が中程度のバッテリステーションのステーションＩＤ１２４０とを含んでよい。ステーションＩＤ１２３０は、エリアに基づいて算出された関連度が比較的高いバッテリステーションのステーションＩＤ１２３２と、距離に基づいて算出された関連度が比較的高いバッテリステーションのステーションＩＤ１２３４と、貸出履歴に基づいて算出された関連度が比較的高いバッテリステーションのステーションＩＤ１２３６とを含んでよい。ステーションＩＤ１２４０は、エリアに基づいて算出された関連度が比較的高いバッテリステーションのステーションＩＤ１２４２と、距離に基づいて算出された関連度が比較的高いバッテリステーションのステーションＩＤ１２４４と、貸出履歴に基づいて算出された関連度が比較的高いバッテリステーションのステーションＩＤ１２４６とを含んでよい。
【０１４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、特許請求の範囲の記載から明らかである。
【０１４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【０１４８】
例えば、本願明細書には、下記の事項が記載されている。
［項目１−１］
１以上の蓄電池を充電するための充電装置が配置されている位置を示す配置情報を取得する配置情報取得部と、
ユーザの位置を示すユーザ位置情報を取得するユーザ位置取得部と、
特定の時刻における、上記１以上の蓄電池の少なくとも１つの充電状態を示す情報を取得する充電状態取得部と、
（ｉ）上記配置情報取得部が取得した配置情報及び（ｉｉ）上記ユーザ位置取得部が取得したユーザ位置情報に基づいて、上記１以上の蓄電池の少なくとも１つに関する（ｉ）上記特定の時刻における充電状態及び（ｉｉ）上記ユーザの上記充電装置への到着予定時刻における充電状態が対応付けられた情報を生成する状態情報生成部と、
を備える、情報処理装置。
［項目１−２］
上記充電装置の充電速度に関する情報を取得する充電速度取得部と、
上記ユーザの移動速度に関する情報を取得する移動速度取得部と、
上記到着予定時刻における充電状態を推定する充電状態推定部と、
をさらに備え、
上記充電状態推定部は、
（ｉ）上記配置情報取得部が取得した配置情報、（ｉｉ）上記ユーザ位置取得部が取得したユーザ位置情報、及び、（ｉｉｉ）上記移動速度取得部が取得した上記ユーザの移動速度に関する情報に基づいて、上記到着予定時刻を推定し、
上記特定の時刻、上記推定された到着予定時刻、及び、上記充電速度取得部が取得した上記充電装置の充電速度に関する情報に基づいて、上記到着予定時刻における充電状態を推定し、
上記状態情報生成部は、上記充電状態推定部が推定した、上記到着予定時刻における充電状態に基づいて、（ｉ）上記特定の時刻における充電状態及び（ｉｉ）上記ユーザの上記充電装置への到着予定時刻における充電状態が対応付けられた情報を生成する、
項目１−１に記載の情報処理装置。
［項目１−３］
上記ユーザの移動速度に関する情報は、上記ユーザの移動速度の統計量である、
項目１−２に記載の情報処理装置。
［項目１−４］
上記移動速度取得部は、
上記ユーザの移動履歴を示す移動履歴情報を取得し、
上記ユーザの移動履歴に基づいて上記ユーザの移動速度の統計量を算出する、
項目１−３に記載の情報処理装置。
［項目１−５］
上記状態情報生成部は、上記ユーザの通信端末に、上記１以上の蓄電池の少なくとも一部に関する（ｉ）上記特定の時刻における充電状態及び（ｉｉ）上記ユーザの上記充電装置への到着予定時刻における充電状態を示す画面を出力させるための情報を生成する、
項目１−１から項目１−４までの何れか一項に記載の情報処理装置。
［項目１−６］
上記状態情報生成部は、上記１以上の蓄電池の少なくとも１つに関する（ｉ）上記特定の時刻における充電状態、（ｉｉ）上記ユーザの上記充電装置への到着予定時刻における充電状態、並びに、（ｉｉｉ）利用料金及びインセンティブの少なくとも一方に関する事項が対応付けられた情報を生成する、
項目１−１から項目１−５までの何れか一項に記載の情報処理装置。
［項目１−７］
コンピュータを、項目１−１から項目１−６までの何れか一項に記載の情報処理装置として機能させるための、プログラム。
［項目１−８］
１以上の蓄電池を充電するための充電装置が配置されている位置を示す配置情報を取得する配置情報取得段階と、
ユーザの位置を示すユーザ位置情報を取得するユーザ位置取得段階と、
特定の時刻における、前記１以上の蓄電池の少なくとも１つの充電状態を示す情報を取得する充電状態取得段階と、
（ｉ）上記配置情報取得段階において取得された配置情報及び（ｉｉ）上記ユーザ位置取得段階において取得されたユーザ位置情報に基づいて、上記１以上の蓄電池の少なくとも１つに関する（ｉ）上記特定の時刻における充電状態及び（ｉｉ）上記ユーザの上記充電装置への到着予定時刻における充電状態が対応付けられた情報を生成する状態情報生成段階と、
を有する、情報処理方法。
［項目２−１］
複数の蓄電池のそれぞれの劣化状態を示す劣化情報を取得する劣化情報取得部と、
上記複数の蓄電池のそれぞれについて、上記劣化情報取得部が取得した劣化情報に基づいて、充電開始時又は充電中に許容される温度条件を決定する温度条件決定部と、
上記複数の蓄電池のそれぞれの温度を示す温度情報を取得する温度情報取得部と、
上記複数の蓄電池のうち、上記温度情報取得部が取得した温度情報により示される温度が、上記温度条件決定部が決定した上記温度条件を満足する蓄電池の中から、充電対象となる蓄電池を抽出する充電対象抽出部と、
を備える、情報処理装置。
［項目２−２］
蓄電池の需要に関する需要情報を取得する需要取得部と、
特定の時刻における上記複数の蓄電池のそれぞれの充電状態を示す情報を取得する充電状態取得部と、
をさらに備え、
上記充電対象抽出部は、上記複数の蓄電池が、上記需要取得部が取得した需要情報により示される需要を満たさない場合に、上記充電対象となる蓄電池を抽出する、
項目２−１に記載の情報処理装置。
［項目２−３］
上記需要情報は、時刻又は期間に関する情報と、当該時刻又は期間において必要とされる蓄電池の個数を示す情報とを含む、
項目２−２に記載の情報処理装置。
［項目２−４］
上記需要情報は、必要とされる蓄電池の個数を示す情報と、各蓄電池の充電状態に関する条件を示す情報とを含む、
項目２−２又は項目２−３に記載の情報処理装置。
［項目２−５］
上記温度条件決定部は、劣化が進行している蓄電池ほど、（ｉ）許容される温度範囲が広くなる、（ｉｉ）許容される最高温度が高くなる、又は、（ｉｉ）許容される最低温度が低くなるように、上記温度条件を決定する、
項目２−１から項目２−４までの何れか一項に記載の情報処理装置。
［項目２−６］
上記温度条件決定部は、劣化が進行している蓄電池ほど、（ｉ）許容される温度範囲が狭くなる、（ｉｉ）許容される最高温度が低くなる、又は、（ｉｉ）許容される最低温度が高くなるように、上記温度条件を決定する、
項目２−１から項目２−４までの何れか一項に記載の情報処理装置。
［項目２−７］
上記複数の蓄電池のそれぞれは、各蓄電池に関する劣化情報を記憶するメモリを有し、
上記劣化情報取得部は、各蓄電池のメモリから、当該蓄電池の劣化情報を取得する、
項目２−１から項目２−６までの何れか一項に記載の情報処理装置。
［項目２−８］
コンピュータを、項目２−１から項目２−７までの何れか一項に記載の情報処理装置として機能させるための、プログラム。
［項目２−９］
複数の蓄電池のそれぞれの温度を示す温度情報を取得する温度情報取得段階と、
上記複数の蓄電池のそれぞれの劣化状態を示す劣化情報を取得する劣化情報取得段階と、
上記複数の蓄電池のそれぞれについて、上記劣化情報取得部が取得した劣化情報に基づいて、充電開始時又は充電中に許容される温度条件を決定する温度条件決定段階と、
上記複数の蓄電池のうち、上記温度情報取得部が取得した温度情報により示される温度が、上記温度条件決定部が決定した上記温度条件を満足する蓄電池の中から、充電対象となる蓄電池を抽出する充電対象抽出段階と、
を有する、情報処理方法。
［項目３−１］
複数の蓄電池格納装置の少なくとも１つの異常又は停止を検出する異常検出部と、
上記異常検出部が上記異常又は上記停止を検出した場合に、上記複数の蓄電池格納装置の中から、上記異常又は上記停止が検出された蓄電池格納装置と関連のある１以上の蓄電池格納装置を抽出する格納装置抽出部と、
上記格納装置抽出部が抽出した上記１以上の蓄電池格納装置の少なくとも１つの稼働率を調整することを決定する調整部と、
を備える、情報処理装置。
［項目３−２］
上記複数の蓄電池格納装置のそれぞれは、少なくとも１つの可搬型蓄電池を格納する、
項目３−１に記載の情報処理装置。
［項目３−３］
上記格納装置抽出部は、上記複数の蓄電池格納装置に含まれる少なくとも１つの蓄電池格納装置について、当該蓄電池格納装置、及び、１以上の他の蓄電池格納装置の関連具合を示す情報を格納する関連具合格納部を参照して、上記異常又は上記停止が検出された蓄電池格納装置と関連のある１以上の蓄電池格納装置を抽出する、
項目３−１又は項目３−２に記載の情報処理装置。
［項目３−４］
上記格納装置抽出部は、上記異常又は上記停止が検出された蓄電池格納装置との上記関連具合が予め定められた条件を満足する蓄電池格納装置を、上記１以上の蓄電池格納装置として抽出する、
項目３−３に記載の情報処理装置。
［項目３−５］
上記予め定められた条件は、上記異常又は上記停止が検出された蓄電池格納装置の（ｉ）仕様に関する事項、（ｉｉ）貸出実績に関する事項及び（ｉｉｉ）稼働率に関する事項の少なくとも１つに基づいて決定される、
項目３−４に記載の情報処理装置。
［項目３−６］
上記関連具合は、（ｉ）上記少なくとも１つの蓄電池格納装置のそれぞれと、上記１以上の他の蓄電池格納装置のそれぞれとの地理的関係、及び、（ｉｉ）上記少なくとも１つの蓄電池格納装置のそれぞれと、上記１以上の他の蓄電池格納装置のそれぞれとの間での蓄電池の移動履歴の少なくとも一方に基づいて定められる、
項目３−３から項目３−５までの何れか一項に記載の情報処理装置。
［項目３−７］
上記調整部は、上記関連具合に基づいて、上記稼働率の調整量を決定する、
項目３−３から項目３−６までの何れか一項に記載の情報処理装置。
［項目３−８］
上記関連具合格納部をさらに備える、
項目３−３から項目３−７までの何れか一項に記載の情報処理装置。
［項目３−９］
上記調整部は、上記異常又は上記停止が検出された蓄電池格納装置の（ｉ）仕様に関する事項、（ｉｉ）貸出実績に関する事項及び（ｉｉｉ）稼働率に関する事項の少なくとも１つに基づいて、上記稼働率の調整量を決定する、
項目３−１から項目３−８までの何れか一項に記載の情報処理装置。
［項目３−１０］
上記複数の蓄電池格納装置をさらに備える、
項目３−１から項目３−９までの何れか一項に記載の情報処理装置。
［項目３−１１］
コンピュータを、項目３−１から項目３−８までの何れか一項に記載の情報処理装置として機能させるための、プログラム。
［項目３−１２］
複数の蓄電池格納装置の少なくとも１つの異常又は停止を検出する異常検出段階と、
上記異常検出段階において上記異常又は上記停止が検出された場合に、上記複数の蓄電池格納装置の中から、上記異常又は上記停止が検出された蓄電池格納装置と関連のある１以上の蓄電池格納装置を抽出する格納装置抽出段階と、
上記格納装置抽出段階において抽出された上記１以上の蓄電池格納装置の少なくとも１つの稼働率を調整することを決定する調整段階と、
を有する、情報処理方法。
【符号の説明】
【０１４９】
１０  通信ネットワーク、２２  モバイルバッテリ、３４  発電装置、３６  電力系統、３８  電気機器、１００  情報処理装置、１１０  温度情報取得部、１２０  劣化情報取得部、１３０  温度条件決定部、１４０  充電対象抽出部、２００  バッテリ管理システム、２１０  バッテリステーション、２１２  バッテリステーション、２１４  バッテリステーション、２２０  管理サーバ、２３０  ユーザ端末、３１２  電力量計、３１４  分電盤、３２０  制御回路、３３０  バッテリ格納部、３３２  コネクタ、３４０  センス部、３５０  制御部、３５２  通信制御部、３５４  充放電制御部、３５６  状態管理部、４１０  劣化状態判定部、４２０  放電管理部、４３０  充電管理部、４４２  バッテリ情報取得部、４４４  稼働率情報取得部、４４６  需要情報取得部、４５２  充電条件決定部、４５４  充電条件格納部、４６０  スケジュール決定部、５１０  状態監視部、５２０  関連度算出部、５３０  稼働率管理部、５４０  予約管理部、５５０  通信制御部、５６０  要求処理部、５７０  格納部、５７２  バッテリ情報格納部、５７４  関連度情報格納部、５７６  ステーション情報格納部、６１０  稼働率決定部、６１２  需給予測部、６１４  エリア稼働率決定部、６１６  個別稼働率決定部、６２０  稼働率調整部、６２２  イベント検出部、６２４  調整対象抽出部、６２６  調整量決定部、７１２  履歴情報取得部、７１４  予約情報取得部、７１６  バッテリ情報取得部、７１８  ステーション情報取得部、７２０  推定部、７３０  料金設定部、７４０  ユーザ要求取得部、７５０  ＵＩ画面生成部、８００  画面、８０２  領域、８０４  領域、８１０  アイコン、８２０  アイコン、８３０  ポップアップ画面、８３２  アイコン、８３４  アイコン、９００  画面、９１０  領域、９２０  領域、９３０  アイコン、９４０  領域、９４２  ＳＯＣ、９４４  増加量、９４６  領域、９５０  アイコン、１０００  画面、１０４０  領域、１１００  データテーブル、１１１０  バッテリＩＤ、１１２０  劣化具合、１１３０  充電速度、１１４０  ＳＯＣ、１１５０  貸出状況、１１６０  運用状況、１１７０  格納場所、１２００  データテーブル、１２１０  ステーションＩＤ、１２２０  関連ステーションＩＤ、１２３０  ステーションＩＤ、１２３２  ステーションＩＤ、１２３４  ステーションＩＤ、１２３６  ステーションＩＤ、１２４０  ステーションＩＤ、１２４２  ステーションＩＤ、１２４４  ステーションＩＤ、１２４６  ステーションＩＤ
【図１】
2018160364.tif 000003
【図２】
2018160364.tif 000004
【図３】
2018160364.tif 000005
【図４】
2018160364.tif 000006
【図５】
2018160364.tif 000007
【図６】
2018160364.tif 000008
【図７】
2018160364.tif 000009
【図８】
2018160364.tif 000010
【図９】
2018160364.tif 000011
【図１０】
2018160364.tif 000012
【図１１】
2018160364.tif 000013
【図１２】
2018160364.tif 000014
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
複数の蓄電池のそれぞれの劣化状態を示す劣化情報を取得する劣化情報取得部と、
前記複数の蓄電池のそれぞれについて、前記劣化情報取得部が取得した劣化情報に基づいて、充電開始時又は充電中に許容される温度条件を決定する温度条件決定部と、
前記複数の蓄電池のそれぞれの温度を示す温度情報を取得する温度情報取得部と、
前記複数の蓄電池のうち、前記温度情報取得部が取得した温度情報により示される温度が、前記温度条件決定部が決定した前記温度条件を満足する蓄電池の中から、充電対象となる蓄電池を抽出する充電対象抽出部と、
前記複数の蓄電池の少なくとも一部を充電又は放電するバッテリステーションの稼働率の目標値を示す情報を取得し、前記バッテリステーションの稼働率の目標値に基づいて、ユーザに提供可能な蓄電池の個数を決定するスケジュール決定部と、
を備え、
前記複数の蓄電池のそれぞれは、移動体、作業機械又は電気機器の電源として利用される可搬型蓄電池であり、
前記充電対象抽出部は、
前記複数の蓄電池のうち、前記温度情報取得部が取得した温度情報により示される温度が、前記温度条件決定部が決定した前記温度条件を満足する蓄電池の中から、
前記スケジュール決定部が決定した前記ユーザに提供可能な蓄電池の前記個数に相当する数の蓄電池を、充電対象となる蓄電池として抽出する、
情報処理装置。
【請求項２】
複数の蓄電池のそれぞれの劣化状態を示す劣化情報を取得する劣化情報取得部と、
前記複数の蓄電池のそれぞれについて、前記劣化情報取得部が取得した劣化情報に基づいて、充電開始時又は充電中に許容される温度条件を決定する温度条件決定部と、
前記複数の蓄電池のそれぞれの温度を示す温度情報を取得する温度情報取得部と、
前記複数の蓄電池のうち、前記温度情報取得部が取得した温度情報により示される温度が、前記温度条件決定部が決定した前記温度条件を満足する蓄電池の中から、充電対象となる蓄電池を抽出する充電対象抽出部と、
蓄電池の需要に関する需要情報を取得する需要取得部と、
特定の時刻における前記複数の蓄電池のそれぞれの充電状態を示す情報を取得する充電状態取得部と、
を備え、
前記充電対象抽出部は、前記複数の蓄電池が、前記需要取得部が取得した需要情報により示される需要を満たさない場合に、前記充電対象となる蓄電池を抽出する、
情報処理装置。
【請求項３】
前記需要情報は、時刻又は期間に関する情報と、当該時刻又は期間において必要とされる蓄電池の個数を示す情報とを含む、
請求項２に記載の情報処理装置。
【請求項４】
前記需要情報は、必要とされる蓄電池の個数を示す情報と、各蓄電池の充電状態に関する条件を示す情報とを含む、
請求項２又は請求項３に記載の情報処理装置。
【請求項５】
複数の蓄電池のそれぞれの劣化状態を示す劣化情報を取得する劣化情報取得部と、
前記複数の蓄電池のそれぞれについて、前記劣化情報取得部が取得した劣化情報に基づいて、充電開始時又は充電中に許容される温度条件を決定する温度条件決定部と、
前記複数の蓄電池のそれぞれの温度を示す温度情報を取得する温度情報取得部と、
前記複数の蓄電池のうち、前記温度情報取得部が取得した温度情報により示される温度が、前記温度条件決定部が決定した前記温度条件を満足する蓄電池の中から、充電対象となる蓄電池を抽出する充電対象抽出部と、
を備え、
前記温度条件決定部は、劣化が進行している蓄電池ほど、（ｉ）許容される温度範囲が広くなる、（ｉｉ）許容される最高温度が高くなる、又は、（ｉｉ）許容される最低温度が低くなるように、前記温度条件を決定する、
情報処理装置。
【請求項６】
前記温度条件決定部は、劣化が進行している蓄電池ほど、（ｉ）許容される温度範囲が狭くなる、（ｉｉ）許容される最高温度が低くなる、又は、（ｉｉ）許容される最低温度が高くなるように、前記温度条件を決定する、
請求項１から請求項４までの何れか一項に記載の情報処理装置。
【請求項７】
前記複数の蓄電池のそれぞれは、各蓄電池に関する劣化情報を記憶するメモリを有し、
前記劣化情報取得部は、各蓄電池のメモリから、当該蓄電池の劣化情報を取得する、
請求項１から請求項６までの何れか一項に記載の情報処理装置。
【請求項８】
コンピュータを、請求項１から請求項７までの何れか一項に記載の情報処理装置として機能させるための、プログラム。
【請求項９】
複数の蓄電池のそれぞれの温度を示す温度情報を取得する温度情報取得段階と、
前記複数の蓄電池のそれぞれの劣化状態を示す劣化情報を取得する劣化情報取得段階と、
前記複数の蓄電池のそれぞれについて、前記劣化情報取得段階において取得された劣化情報に基づいて、充電開始時又は充電中に許容される温度条件を決定する温度条件決定段階と、
前記複数の蓄電池のうち、前記温度情報取得段階において取得された温度情報により示される温度が、前記温度条件決定段階において決定された前記温度条件を満足する蓄電池の中から、充電対象となる蓄電池を抽出する充電対象抽出段階と、
前記複数の蓄電池の少なくとも一部を充電又は放電するバッテリステーションの稼働率の目標値を示す情報を取得し、前記バッテリステーションの稼働率の目標値に基づいて、ユーザに提供可能な蓄電池の個数を決定するスケジュール決定段階と、
を有し、
前記複数の蓄電池のそれぞれは、移動体、作業機械又は電気機器の電源として利用される可搬型蓄電池であり、
前記充電対象抽出段階は、
前記複数の蓄電池のうち、前記温度情報取得段階において取得された温度情報により示される温度が、前記温度条件決定段階において決定された前記温度条件を満足する蓄電池の中から、前記スケジュール決定段階において決定された前記ユーザに提供可能な蓄電池の前記個数に相当する数の蓄電池を、充電対象となる蓄電池として抽出する段階、
を含む、
情報処理方法。
【請求項１０】
複数の蓄電池のそれぞれの温度を示す温度情報を取得する温度情報取得段階と、
前記複数の蓄電池のそれぞれの劣化状態を示す劣化情報を取得する劣化情報取得段階と、
前記複数の蓄電池のそれぞれについて、前記劣化情報取得段階において取得された劣化情報に基づいて、充電開始時又は充電中に許容される温度条件を決定する温度条件決定段階と、
前記複数の蓄電池のうち、前記温度情報取得段階において取得された温度情報により示される温度が、前記温度条件決定段階において決定された前記温度条件を満足する蓄電池の中から、充電対象となる蓄電池を抽出する充電対象抽出段階と、
蓄電池の需要に関する需要情報を取得する需要取得段階と、
特定の時刻における前記複数の蓄電池のそれぞれの充電状態を示す情報を取得する充電状態取得段階と、
を有し、
前記充電対象抽出段階は、
前記複数の蓄電池が、前記需要取得段階において取得された需要情報により示される需要を満たさない場合に、前記充電対象となる蓄電池を抽出する段階、
を含む、
情報処理方法。
【請求項１１】
複数の蓄電池のそれぞれの温度を示す温度情報を取得する温度情報取得段階と、
前記複数の蓄電池のそれぞれの劣化状態を示す劣化情報を取得する劣化情報取得段階と、
前記複数の蓄電池のそれぞれについて、前記劣化情報取得段階において取得された劣化情報に基づいて、充電開始時又は充電中に許容される温度条件を決定する温度条件決定段階と、
前記複数の蓄電池のうち、前記温度情報取得段階において取得された温度情報により示される温度が、前記温度条件決定段階において決定された前記温度条件を満足する蓄電池の中から、充電対象となる蓄電池を抽出する充電対象抽出段階と、
を有し、
前記温度条件決定段階は、
劣化が進行している蓄電池ほど、（ｉ）許容される温度範囲が広くなる、（ｉｉ）許容される最高温度が高くなる、又は、（ｉｉ）許容される最低温度が低くなるように、前記温度条件を決定する段階、
を含む、
情報処理方法。